(57)【要約】  本発明は、スマートホームの分野に属すスクリーン投影方法、装置およびシステム、プログラム及び記録媒体に関する。該方法は、所定タイプの信号を受信すると共に、所定タイプの信号を送信した第２電子機器と所定タイプの接続を構築し、所定タイプの接続に基づき、ＷｉＦｉ−Ｐ２Ｐ接続サービスを起動させるように第２電子機器に通知し、第１電子機器がＷｉＦｉ−Ｐ２Ｐ接続サービスを起動させた後に、ＷｉＦｉ−Ｐ２Ｐ接続サービス起動済みの第２電子機器とＷｉＦｉ−Ｐ２Ｐ接続を構築し、第２電子機器へスクリーン投影を行う。これにより、従来のスクリーン投影時の操作の手間や接続効率の低下問題を解決し、ＷｉＦｉ−Ｐ２Ｐ接続の自動構築、スクリーン投影時の接続効率の向上、ユーザ操作の低減を達成している。【選択図】        図２
2017511553.tif 000002
【特許請求の範囲】
【請求項１】
第１電子機器に適用されるスクリーン投影方法であって、
所定タイプの信号を受信すると共に、前記所定タイプの信号を送信した第２電子機器との間で、前記所定タイプの信号とは同タイプの信号を伝送するための所定タイプの接続を構築するステップと、
前記所定タイプの接続に基づき、前記第２電子機器にＷｉＦｉ−Ｐ２Ｐ（ワイヤレス・ファイデリティ・ピアツーピア）接続サービスを起動させるように通知するステップと、
前記第１電子機器が、前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うステップと、
を含むことを特徴とするスクリーン投影方法。
【請求項２】
前記所定タイプの信号を送信した第２電子機器との間で前記所定タイプの接続を構築するステップは、
各所定タイプの信号を解析し、前記所定タイプの信号をブロードキャストして送信した少なくとも１つの前記第２電子機器を取得するステップと、
前記第２電子機器のうち所定条件を満たす第２電子機器との間で、前記所定タイプの接続を構築するステップと、
を含むことを特徴とする請求項１に記載のスクリーン投影方法。
【請求項３】
前記所定タイプの信号は、ブルートゥース信号または近距離無線通信（ＮＦＣ）信号であり、
前記第２電子機器のうち所定条件を満たす第２電子機器との間で、前記所定タイプの接続を構築するステップは、
各所定タイプの信号に基づき、前記第１電子機器に最も近い第２電子機器を特定し、特定した前記第２電子機器との間で前記所定タイプの接続を構築するステップ、または、
取得された前記第２電子機器を表示し、表示された前記第２電子機器を選択する選択指示を受付けると共に、前記選択指示が示した第２電子機器との間で前記所定タイプの接続を構築するステップを、
含むことを特徴とする請求項２に記載のスクリーン投影方法。
【請求項４】
各所定タイプの信号に基づき、前記第１電子機器に最も近い第２電子機器を特定する処理には、
前記所定タイプの信号から、各所定タイプの信号の信号強度、および前記所定タイプの信号を送信した放射周波数を取得するステップと、
取得された、各所定タイプの信号の対応信号強度および対応放射周波数の前者またはこの両者に基づき、前記第１電子機器に最も近い第２電子機器を特定するステップと、
が含まれることを特徴とする請求項３に記載のスクリーン投影方法。
【請求項５】
前記所定タイプの信号は、ワイヤレス・ファイデリティ（ＷｉＦｉ）・フレームであり、
前記第２電子機器のうち所定条件を満たす第２電子機器との間で、前記所定タイプの接続を構築するステップは、
各所定タイプの信号に基づき、前記第１電子機器とは同一ＬＡＮ内に含まれ且つ前記第１電子機器に最も近い第２電子機器を特定し、特定した前記第２電子機器との間で前記所定タイプの接続を構築するステップ、または、
取得された、前記第１電子機器とは同一ＬＡＮ内に含まれる第２電子機器を表示し、表示された前記第２電子機器を選択する選択指示を受付けると共に、前記選択指示が示した第２電子機器との間で前記所定タイプの接続を構築するステップを、
含むことを特徴とする請求項２に記載のスクリーン投影方法。
【請求項６】
前記第２電子機器に対してスクリーン投影を行う処理には、
前記第１電子機器のスクリーン情報を圧縮し、リアルタイム・ストリーミング・プロトコール（ｒｔｓｐ）ストリームを生成するステップと、
前記第２電子機器が前記ＷｉＦｉ−Ｐ２Ｐ接続に基づいて送信した、前記ｒｔｓｐストリームを取得するための取得要求を受信するステップと、
前記ｒｔｓｐストリームを、該ｒｔｓｐストリームに応じたスクリーン情報を前記第２電子機器に対して該第２電子機器のスクリーン上に表示させるためのトリガーとして、前記ＷｉＦｉ−Ｐ２Ｐ接続に基づいて前記第２電子機器に送信するステップと、
が含まれることを特徴とする請求項１〜５の何れか１項に記載のスクリーン投影方法。
【請求項７】
第２電子機器に適用されるスクリーン投影方法であって、
所定タイプの信号をブロードキャストして送信するステップと、
前記所定タイプの信号とは同タイプの信号を伝送するための所定タイプの接続を、第１電子機器との間で構築するステップと、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させるステップと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するステップと、
を含むことを特徴とするスクリーン投影方法。
【請求項８】
前記ＷｉＦｉ−Ｐ２Ｐ接続に基づき、前記第１電子機器のスクリーン情報のリアルタイム・ストリーミング・プロトコール（ｒｔｓｐ）ストリームを取得するための取得要求を前記第１電子機器に送信するステップと、
前記ＷｉＦｉ−Ｐ２Ｐ接続に基づき、前記第１電子機器から送信された、前記第１電子機器が自機器のスクリーン情報を圧縮した前記ｒｔｓｐストリームを受信するステップと、
前記ｒｔｓｐストリームに応じたスクリーン情報を前記第２電子機器のスクリーン上に表示するステップと、
をさらに含むことを特徴とする請求項７に記載のスクリーン投影方法。
【請求項９】
第１電子機器に適用されるスクリーン投影装置であって、
所定タイプの信号を受信すると共に、前記所定タイプの信号を送信した第２電子機器との間で、前記所定タイプの信号とは同タイプの信号を伝送するための所定タイプの接続を構築するように構成された構築モジュールと、
前記構築モジュールが構築した前記所定タイプの接続に基づき、前記第２電子機器にＷｉＦｉ−Ｐ２Ｐ（ワイヤレス・ファイデリティ・ピアツーピア）接続サービスを起動させるように通知するように構成された通知モジュールと、
前記第１電子機器が、前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成された投影モジュールと、
を含むことを特徴とするスクリーン投影装置。
【請求項１０】
前記構築モジュールは、
各所定タイプの信号を解析し、前記所定タイプの信号をブロードキャストして送信した少なくとも１つの第２電子機器を取得するように構成された第１取得サブモジュールと、
前記第１取得サブモジュールが取得した前記第２電子機器のうち所定条件を満たす第２電子機器との間で、前記所定タイプの接続を構築するように構成された第１構築サブモジュールと、
を含むことを特徴とする請求項９に記載のスクリーン投影装置。
【請求項１１】
前記所定タイプの信号は、ブルートゥース信号または近距離無線通信（ＮＦＣ）信号であり、
前記第１構築サブモジュールは、
各所定タイプの信号に基づき、前記第１電子機器に最も近い第２電子機器を特定し、特定した前記第２電子機器との間で前記所定タイプの接続を構築するように構成された第２構築サブモジュール、または、
前記第１取得サブモジュールが取得した前記第２電子機器を表示し、表示された前記第２電子機器を選択する選択指示を受付けると共に、前記選択指示が示した第２電子機器との間で前記所定タイプの接続を構築するように構成された第３構築サブモジュールを、
含むことを特徴とする請求項１０に記載のスクリーン投影装置。
【請求項１２】
前記第２構築サブモジュールは、
前記所定タイプの信号から、各所定タイプの信号の信号強度、および前記所定タイプの信号を送信した放射周波数を取得するように構成された第２取得サブモジュールと、
前記第２取得サブモジュールが取得した、各所定タイプの信号の対応信号強度および対応放射周波数の前者またはこの両者に基づき、前記第１電子機器に最も近い第２電子機器を特定するように構成された特定サブモジュールと、
を含むことを特徴とする請求項１１に記載のスクリーン投影装置。
【請求項１３】
前記所定タイプの信号は、ワイヤレス・ファイデリティ（ＷｉＦｉ）・フレームであり、
前記第１構築サブモジュールは、
各所定タイプの信号に基づき、前記第１電子機器とは同一ＬＡＮ内に含まれ且つ前記第１電子機器に最も近い第２電子機器を特定し、特定した前記第２電子機器との間で前記所定タイプの接続を構築するように構成された第４構築サブモジュール、または、
前記第１取得サブモジュールが取得した、前記第１電子機器とは同一ＬＡＮ内に含まれる第２電子機器を表示し、表示された前記第２電子機器を選択する選択指示を受付けると共に、前記選択指示が示した第２電子機器との間で前記所定タイプの接続を構築するように構成された第５構築サブモジュールを、
含むことを特徴とする請求項１０に記載のスクリーン投影装置。
【請求項１４】
前記投影モジュールは、
前記第１電子機器のスクリーン情報を圧縮し、ｒｔｓｐ（リアルタイム・ストリーミング・プロトコール）ストリームを生成するように構成された生成サブモジュールと、
前記第２電子機器が前記ＷｉＦｉ−Ｐ２Ｐ接続に基づいて送信した、前記ｒｔｓｐストリームを取得するための取得要求を受信するように構成された受信サブモジュールと、
前記生成サブモジュールが生成した前記ｒｔｓｐストリームを、該ｒｔｓｐストリームに応じたスクリーン情報を前記第２電子機器に対して該第２電子機器のスクリーン上に表示させるためのトリガーとして、前記ＷｉＦｉ−Ｐ２Ｐ接続に基づいて前記第２電子機器に送信するように構成された送信サブモジュールと、
を含むことを特徴とする請求項９〜１３の何れか１項に記載のスクリーン投影装置。
【請求項１５】
第２電子機器に適用されるスクリーン投影装置であって、
所定タイプの信号をブロードキャストして送信するように構成されたブロードキャストモジュールと、
前記ブロードキャストモジュールがブロードキャストした前記所定タイプの信号とは同タイプの信号を伝送するための所定タイプの接続を、第１電子機器との間で構築するように構成された第１構築モジュールと、
前記第１電子機器から送信された通知を、前記第１構築モジュールが構築した前記所定タイプの接続に基づいて受信した後に、ワイヤレス・ファイデリティ・ピアツーピア（ＷｉＦｉ−Ｐ２Ｐ）接続サービスを起動させるように構成された起動モジュールと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成された第２構築モジュールと、
を含むことを特徴とするスクリーン投影装置。
【請求項１６】
前記ＷｉＦｉ−Ｐ２Ｐ接続に基づき、前記第１電子機器のスクリーン情報のｒｔｓｐ（リアルタイム・ストリーミング・プロトコール）ストリームを取得するための取得要求を、前記第１電子機器に送信するように構成された送信モジュールと、
前記ＷｉＦｉ−Ｐ２Ｐ接続に基づき、前記第１電子機器から送信された、前記第１電子機器が自機器のスクリーン情報を圧縮したｒｔｓｐストリームを受信するように構成された受信モジュールと、
前記ｒｔｓｐストリームに応じたスクリーン情報を前記第２電子機器のスクリーン上に表示するように構成された表示モジュールと、
をさらに含むことを特徴とする請求項１５に記載のスクリーン投影装置。
【請求項１７】
請求項９〜１４の何れか１項に記載のスクリーン投影装置を含む第１電子機器と、
請求項１５または１６に記載のスクリーン投影装置を含む第２電子機器と、
を含むことを特徴とするスクリーン投影システム。
【請求項１８】
第１電子機器に適用されるスクリーン投影装置であって、
プロセッサと、前記プロセッサが実行可能なコマンドを記憶するメモリとを含み、
前記プロセッサは、
所定タイプの信号を受信すると共に、前記所定タイプの信号を送信した第２電子機器との間で、前記所定タイプの信号とは同タイプの信号を伝送するための所定タイプの接続を構築し、
前記所定タイプの接続に基づき、ＷｉＦｉ−Ｐ２Ｐ（ワイヤレス・ファイデリティ・ピアツーピア）接続サービスを起動させるように前記第２電子機器に通知し、
前記第１電子機器が、前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成されている、
スクリーン投影装置。
【請求項１９】
第２電子機器に適用されるスクリーン投影装置であって、
プロセッサと、前記プロセッサが実行可能なコマンドを記憶するメモリとを含み、
前記プロセッサは、
所定タイプの信号をブロードキャストして送信し、
前記所定タイプの信号とは同タイプの信号を伝送するための所定タイプの接続を、第１電子機器との間で構築し、
前記第１電子機器から送信された通知を前記所定タイプの接続に基づいて受信した後に、ＷｉＦｉ−Ｐ２Ｐ（ワイヤレス・ファイデリティ・ピアツーピア）接続サービスを起動させ、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成されている、
スクリーン投影装置。
【発明の詳細な説明】
【技術分野】
【０００１】
本願は、出願番号２０１５１００２０８０９．５、出願日２０１５年０１月１５日である中国特許出願に基づいて提出されるものであり、当該中国特許出願の優先権を主張する。ここで、当該中国特許出願の全ての内容は、参考として本願に組み込まれるものとする。
【０００２】
本発明は、スマートホームの分野に関し、特にスクリーン投影方法、装置およびシステムに関する。
【背景技術】
【０００３】
スマートホームによる生活の中において、スマートホームに対し、第１電子機器のスクリーン情報を第２電子機器のスクリーン上に投影するスクリーン投影技術が要求される傾向が強まってきている。
【０００４】
スクリーン投影を行う際、ユーザ操作に基づいて、第１電子機器および第２電子機器にインストールされた特定のアプリケーションを同時に起動する必要がある。そして、特定のアプリケーションが起動した後、第１電子機器および第２電子機器は、各々のワイヤレス・ファイデリティ（Ｗｉｒｅｌｅｓｓ  Ｆｉｄｅｌｉｔｙ；略称：ＷｉＦｉ）・ピアツーピア（Ｐｅｅｒ−ｔｏ−Ｐｅｅｒ；略称：Ｐ２Ｐ）接続サービスを起動させる。第１電子機器は、無線表示アプリケーションに基づいて、ＷｉＦｉ−Ｐ２Ｐ接続サービス起動済みの第２電子機器をスキャンし、スキャンできた各第２電子機器を表示する。そして、表示された第２電子機器のうちの１つをユーザが選択することで、第１電子機器は、ユーザの選択に基づき、第１電子機器と、選択された第２電子機器との間のＷｉＦｉ−Ｐ２Ｐ接続を構築し、ＷｉＦｉ−Ｐ２Ｐ接続が構築された後にスクリーン投影を行う。
【発明の概要】
【発明が解決しようとする課題】
【０００５】
本発明は、関連する技術における課題を解決するために、下記の構成を有するスクリーン投影方法、装置およびシステムを提供する。
【課題を解決するための手段】
【０００６】
本発明の実施例の第１態様によれば、第１電子機器に適用されるスクリーン投影方法であって、
所定タイプの信号を受信すると共に、前記所定タイプの信号を送信した第２電子機器との間で、前記所定タイプの信号とは同タイプの信号を伝送するための所定タイプの接続を構築するステップと、
前記所定タイプの接続に基づき、前記第２電子機器にＷｉＦｉ−Ｐ２Ｐ（ワイヤレス・ファイデリティ・ピアツーピア）接続サービスを起動させるように通知するステップと、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うステップと、を含むスクリーン投影方法を提供する。
【０００７】
本発明の実施例の第２態様によれば、第２電子機器に適用されるスクリーン投影方法であって、
所定タイプの信号をブロードキャストして送信するステップと、
前記所定タイプの信号とは同タイプの信号を伝送するための所定タイプの接続を、第１電子機器との間で構築するステップと、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させるステップと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するステップと、を含むスクリーン投影方法を提供する。
【０００８】
本発明の実施例の第３態様によれば、第１電子機器に適用されるスクリーン投影装置であって、
所定タイプの信号を受信すると共に、前記所定タイプの信号を送信した第２電子機器との間で、前記所定タイプの信号とは同タイプの信号を伝送するための所定タイプの接続を構築するように構成された構築モジュールと、
前記構築モジュールが構築した前記所定タイプの接続に基づき、前記第２電子機器にＷｉＦｉ−Ｐ２Ｐ（ワイヤレス・ファイデリティ・ピアツーピア）接続サービスを起動させるように通知するように構成された通知モジュールと、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成された投影モジュールと、を含むスクリーン投影装置を提供する。
【０００９】
本発明の実施例の第４態様によれば、第２電子機器に適用されるスクリーン投影装置であって、
所定タイプの信号をブロードキャストして送信するように構成されたブロードキャストモジュールと、
前記ブロードキャストモジュールがブロードキャストした前記所定タイプの信号とは同タイプの信号を伝送するための所定タイプの接続を、第１電子機器との間で構築するように構成された第１構築モジュールと、
前記第１電子機器から送信された通知を、前記第１構築モジュールが構築した前記所定タイプの接続に基づいて受信した後に、ワイヤレス・ファイデリティ・ピアツーピア（ＷｉＦｉ−Ｐ２Ｐ）接続サービスを起動させるように構成された起動モジュールと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成された第２構築モジュールと、を含むスクリーン投影装置を提供する。
【００１０】
本発明の実施例の第５態様によれば、前記第３態様に記載のスクリーン投影装置を含む第１電子機器と、
前記第４態様に記載のスクリーン投影装置を含む第２電子機器と、を含むスクリーン投影システムを提供する。
【００１１】
本発明の実施例の第６態様によれば、第１電子機器に適用されるスクリーン投影装置であって、
プロセッサと、前記プロセッサが実行可能なコマンドを記憶するメモリとを含み、
前記プロセッサは、
所定タイプの信号を受信すると共に、前記所定タイプの信号を送信した第２電子機器との間で、前記所定タイプの信号とは同タイプの信号を伝送するための所定タイプの接続を構築し、
前記所定タイプの接続に基づき、ワイヤレス・ファイデリティ・ピアツーピア（ＷｉＦｉ−Ｐ２Ｐ）接続サービスを起動させるように前記第２電子機器に通知し、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成されている、スクリーン投影装置を提供する。
【００１２】
本発明の実施例の第７態様によれば、第２電子機器に適用されるスクリーン投影装置であって、
プロセッサと、前記プロセッサが実行可能なコマンドを記憶するメモリとを含み、
前記プロセッサは、
所定タイプの信号をブロードキャストして送信し、
前記所定タイプの信号とは同タイプの信号を伝送するための所定タイプの接続を、第１電子機器との間で構築し、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させ、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成されている、スクリーン投影装置を提供する。
【発明の効果】
【００１３】
本発明の実施例において提供される構成によれば、次の有益な効果を奏する。
【００１４】
すなわち、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術では、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００１５】
なお、以上の基本説明および後述の詳細な説明は、単に例示的なものであり、本発明を限定するものではないと理解されるべきである。
【図面の簡単な説明】
【００１６】
ここでの図面は、明細書に組み込まれて明細書の一部を構成し、本発明に合致する実施例を示すと共に、明細書と併せて本発明の原理の解釈に用いられるものである。
【図１】例示的な実施例に係るスクリーン投影方法に関する実施環境を示す模式図である。
【図２】例示的な一実施例に係るスクリーン投影方法を示すフローチャートである。
【図３】例示的な別の実施例に係るスクリーン投影方法を示すフローチャートである。
【図４Ａ】例示的な更なる別の実施例に係るスクリーン投影方法を示すフローチャートである。
【図４Ｂ】例示的な一実施例に係る第１電子機器と、所定タイプの信号を送信した第２電子機器との間で、所定タイプの接続を構築するときの流れを示すフローチャートである。
【図４Ｃ】例示的な一実施例に係る第１電子機器と、第２電子機器のうち所定条件を満たす第２電子機器との間で、所定タイプの接続を構築するときの流れを示すフローチャートである。
【図４Ｄ】例示的な一実施例に係る第１電子機器と、第２電子機器のうち所定条件を満たす第２電子機器との間で、所定タイプの接続を構築するときの流れを示すフローチャートである。
【図４Ｅ】例示的な一実施例に係る第１電子機器と、第２電子機器のうち所定条件を満たす第２電子機器との間で、所定タイプの接続を構築するときの流れを示すフローチャートである。
【図４Ｆ】例示的な一実施例に係る第１電子機器と、第２電子機器のうち所定条件を満たす第２電子機器との間で、所定タイプの接続を構築するときの流れを示すフローチャートである。
【図４Ｇ】例示的な一実施例に係る第１電子機器が、第２電子機器に対してスクリーン投影を行っているときの流れを示すフローチャートである。
【図４Ｈ】例示的な一実施例に係る第２電子機器のスクリーン上に、第１電子機器のスクリーン情報を同期表示する様子を示す模式図である。
【図４Ｉ】例示的な一実施例に係る異なるタイプの２つの第２電子機器に対し、同時にスクリーン投影を行う様子を示す模式図である。
【図５】例示的な一実施例に係るスクリーン投影装置を示すブロック図である。
【図６】例示的な別の実施例に係るスクリーン投影装置を示すブロック図である。
【図７】例示的な更なる別の実施例に係るスクリーン投影装置を示すブロック図である。
【図８】例示的な更なる別の実施例に係るスクリーン投影装置を示すブロック図である。
【図９】例示的な更なる別の実施例に係るスクリーン投影装置を示すブロック図である。
【発明を実施するための形態】
【００１７】
図面に示された例示的な実施例を詳細に説明する。なお、以下の記載において、図面を言及するとき、特に説明しない限り、異なる図面における同一番号は同一または同等の要素を示す。また、以下の例示的な実施例に記載される実施形態は、本発明に一致する全ての実施形態を代表するものではない。逆に、これら例示的な一実施例は、添付された特許請求の範囲に詳細に記載される、本発明の一部の局面に一致する装置及び方法の例にすぎない。
【００１８】
図１は、例示的な一部の実施例に係るスクリーン投影方法に関する実施環境を示す模式図である。図１に示すように、当該実施環境に第１電子機器１２０および第２電子機器１４０が含まれてもよい。
【００１９】
第２電子機器１４０は、スクリーン表示機能を有する電子機器であり、例えばブルートゥース（Ｂｌｕｅｔｏｏｔｈ）信号、近距離無線通信（Ｎｅａｒ  Ｆｉｅｌｄ  Ｃｏｍｍｕｎｉｃａｔｉｏｎ；略称ＮＦＣ）信号など、所定タイプの信号をブロードキャストすることができる。一般的に、第２電子機器１４０内には、例えばブルートゥースチップまたはＮＦＣチップなど、所定タイプの信号をブロードキャストするためのハードウェアデバイスが設けられている。
【００２０】
第１電子機器１２０は、スクリーン表示機能を有する電子機器であり、第２電子機器１４０がブロードキャストした所定タイプの信号を受信すると共に、所定タイプの信号を識別することができる。これに対応するように、第１電子機器１２０内には、所定タイプの信号を受信するための受信アンテナが設けられている。
【００２１】
上記第１電子機器１２０および第２電子機器１４０は、同様のタイプのものであってもよく、異なるタイプのものであってもよい。第１電子機器１２０および第２電子機器１４０は、両方がスマートフォン、タブレットＰＣ、スマートテレビ、電子ブックリーダー、マルチメディアプレイヤ、ラップトップコンピュータ、およびデスクトップなどであってもよい。
【００２２】
選択可能な態様として、第１電子機器１２０のスクリーンのサイズが第２電子機器１４０のスクリーンのサイズよりも小さい。
【００２３】
また、選択可能な態様として、第１電子機器１２０のスクリーンの解像度が第２電子機器１４０のスクリーンの解像度よりも低い。
【００２４】
図２は、例示的な一実施例に係るスクリーン投影方法を示すフローチャートである。図２に示すように、該スクリーン投影方法は、図１に示す実施環境における第１電子機器１２０に適用され、次のステップを含む。
【００２５】
ステップ２０１において、所定タイプの信号を受信すると共に、所定タイプの信号を送信した第２電子機器との間で、所定タイプの信号とは同タイプの信号を伝送するための所定タイプの接続を構築する。
【００２６】
通常、所定タイプの信号は、他の機器がブロードキャストして送信するものであり、第１電子機器は、他の機器がブロードキャストして送信した所定タイプの信号を受信することができる。
【００２７】
ステップ２０２において、所定タイプの接続に基づき、ワイヤレス・ファイデリティ・ピアツーピア（ＷｉＦｉ−Ｐ２Ｐ）接続サービスを起動させるように第２電子機器に通知する。
【００２８】
ステップ２０３において、第１電子機器がＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行う。
【００２９】
上述したように、本発明の実施例において提供されるスクリーン投影方法は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００３０】
図３は、例示的な一実施例に係るスクリーン投影方法を示すフローチャートである。図３に示すように、該スクリーン投影方法は、図１に示す実施環境における第２電子機器１４０に適用され、次のステップを含む。
【００３１】
ステップ３０１において、所定タイプの信号をブロードキャストして送信する。
【００３２】
ステップ３０２において、第１電子機器との間で、所定タイプの信号とは同タイプの信号を伝送するための所定タイプの接続を構築する。
【００３３】
ステップ３０３において、第１電子機器から送信された通知を所定タイプの接続に基づいて受信した後に、ワイヤレス・ファイデリティ・ピアツーピア（ＷｉＦｉ−Ｐ２Ｐ）接続サービスを起動させる。
【００３４】
ステップ３０４において、ＷｉＦｉ−Ｐ２Ｐ接続サービス起動済みの第１電子機器との間で、第１電子機器から第２電子機器へのスクリーン投影を実現するためのＷｉＦｉ−Ｐ２Ｐ接続を構築する。
【００３５】
上述したように、本発明の実施例において提供されるスクリーン投影方法は、所定タイプの信号を、第１電子機器に受信されるようにブロードキャストし、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。第２電子機器は、所定タイプの信号をブロードキャストして送信することができるため、特定のアプリケーションをインストールしておく必要がなく、手間のかかるユーザ操作も必要がない。したがって、従来の関連技術において、第１電子機器および第２機器に特定のアプリケーションをインストールしておく必要があり、且つ、該アプリケーションを同時に起動させてから、ユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００３６】
図４Ａは、例示的な更なる実施例示に係るスクリーン投影方法を示すフローチャートである。図４Ａに示すように、該スクリーン投影方法は、図１に示す実施環境に適用され、次のステップを含む。
【００３７】
ステップ４０１において、第２電子機器がブロードキャストで所定タイプの信号を送信する。
【００３８】
なお、所定タイプの信号は、ブルートゥース信号、近距離無線通信（ＮＦＣ）信号、またはワイヤレス・ファイデリティ（ＷｉＦｉ）・フレームなどである。
【００３９】
実際の応用において、第２電子機器は、通常、デフォルト形式として所定タイプの信号をブロードキャストすることができる。つまり、所定タイプの信号をブロードキャストして送信するための特定のアプリケーションを第２電子機器にインストールしておく必要がない。なぜなら、現在の電子機器、例えばスマートフォン、スマートテレビや他のスマートホーム電子機器のいずれも、ユーザの手動での起動を必要としないブルートゥースやＮＦＣ通信機能を備えているためである。第２電子機器は、ブルートゥースやＮＦＣなどの通信機能を備えている場合には、デフォルト形式として、ブルートゥース信号やＮＦＣ信号を継続的にブロードキャストしてもよい。
【００４０】
ステップ４０２において、第１電子機器が、所定タイプの信号を受信すると共に、所定タイプの信号を送信した第２電子機器との間で、所定タイプの接続を構築する。
【００４１】
第１電子機器は、第２電子機器との距離が所定範囲内であれば、第２電子機器が送信した所定タイプの信号を受信することができる。一般的に、第２電子機器が所定タイプの信号をブロードキャストする際、所定タイプの信号の伝播可能距離は、通常、該所定タイプの信号に対応するプロトコールの規定に制限される。例えば、ブルートゥース信号の伝播距離は、通常なら１０メートル以内であり、ＮＦＣ信号の伝播距離は１０センチ以内である。したがって、第１電子機器は、第２電子機器との所定範囲内の距離でしか、第２電子機器からブロードキャストして送信される所定タイプの信号を受信することができない。換言すれば、第１電子機器は、第１電子機器との所定範囲内の距離の第２電子機器から送信される所定タイプの信号しか受信できない。
【００４２】
第１電子機器は、所定タイプの信号を受信すると、該所定タイプの信号を送信した第２電子機器との間で、所定タイプの接続を構築してもよい。ここで言う所定タイプの接続は、所定タイプの信号とは同タイプの信号を伝送するためのものであってもよい。例えば、所定タイプの信号がブルートゥース信号である場合、所定タイプの接続はブルートゥース接続であってもよい。すなわち、所定タイプの信号は、ブルートゥース信号を伝送するためのものであってもよい。
【００４３】
ステップ４０３において、第１電子機器が、所定タイプの接続に基づき、ワイヤレス・ファイデリティ・ピアツーピア（ＷｉＦｉ−Ｐ２Ｐ）接続サービスを起動させるように第２電子機器に通知する。
【００４４】
所定タイプの接続の構築が成功すると、第１電子機器は、該所定タイプの接続に基づき、ワイヤレス・ファイデリティ・ピアツーピア（ＷｉＦｉ−Ｐ２Ｐ）接続サービスを起動させるように第２電子機器に通知する。例えば、第１電子機器は、該所定タイプの接続に基づき、所定タイプの信号とは同タイプの通知メッセージを第２電子機器に送信する。なお、該通知メッセージは、第２電子機器のＷｉＦｉ−Ｐ２Ｐ接続サービスを起動させるように第２電子機器に通知するためのものである。
【００４５】
例を挙げて説明すると、ブルートゥース接続を構築できた後に、構築されたブルートゥース接続に基づき、ＷｉＦｉ−Ｐ２Ｐ接続サービスを起動させるように第２電子機器に通知するためのブルートゥース信号を、第２電子機器に送信してもよい。さらに別の例を挙げて説明すると、ＮＦＣ接続を構築できた後に、構築されたＮＦＣ接続に基づき、ＷｉＦｉ−Ｐ２Ｐ接続サービスを起動させるように第２電子機器に通知するためのＮＦＣ信号を、第２電子機器に送信してもよい。
【００４６】
通常、ＷｉＦｉ−Ｐ２Ｐ接続サービスは、デフォルト形式として起動するものではない。ＷｉＦｉ−Ｐ２Ｐ接続に基づくスクリーン投影の実現時にスクリーン投影のスムーズ性を確保しつつ、ブロードバンドの占用を減らすためには、通常、スクリーン投影を行う第１電子機器および第２電子機器のＷｉＦｉ−Ｐ２Ｐ接続サービスを先に起動させる必要がある。一方、本実施例において、第１電子機器は、構築された所定タイプの接続を用いて、第２電子機器のＷｉＦｉ−Ｐ２Ｐ接続サービスを起動させるように、第２電子機器に自発的に通知する。
【００４７】
ステップ４０４において、第２電子機器が、第１電子機器から送信された通知を所定タイプの接続に基づいて受信した後に、ワイヤレス・ファイデリティ・ピアツーピア（ＷｉＦｉ−Ｐ２Ｐ）接続サービスを起動させる。
【００４８】
第２電子機器は、第１電子機器から送信された通知を所定タイプの接続に基づいて受信すると、ＷｉＦｉ−Ｐ２Ｐ接続サービスを起動させる。したがって、第２電子機器は、ＷｉＦｉ−Ｐ２Ｐ接続サービスを起動させるアプリケーションを設定することなく、構築された所定タイプの接続に基づいて、第１電子機器によるトリガーに応じてＷｉＦｉ−Ｐ２Ｐ接続サービスを起動させるだけで済む。また、ユーザが第２電子機器において何ら操作を行う必要がないため、ＷｉＦｉ−Ｐ２Ｐ接続を起動させる操作手順が簡略化される。
【００４９】
ステップ４０５において、第１電子機器が、ＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行う。
【００５０】
第１電子機器は、構築された所定タイプの接続に基づいて、ＷｉＦｉ−Ｐ２Ｐ接続サービスを起動させるように第２電子機器に通知した後、第１電子機器と第２電子機器との間のＷｉＦｉ−Ｐ２Ｐ接続を構築できるように、自機器のＷｉＦｉ−Ｐ２Ｐ接続サービスをも自動的に起動させる。第１電子機器および第２電子機器の両方がＷｉＦｉ−Ｐ２Ｐ接続サービスを起動させた後に、第１電子機器と第２電子機器との間のＷｉＦｉ−Ｐ２Ｐ接続を構築してもよい。
【００５１】
このようにすることで、第１電子機器は、構築されたＷｉＦｉ−Ｐ２Ｐ接続に基づき、第２電子機器に対してスクリーン投影を行うことができる。
【００５２】
上述したように、本発明の実施例において提供されるスクリーン投影方法は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００５３】
なお、上記ステップ４０２、ステップ４０３およびステップ４０５は、第１電子機器を実行主体とするスクリーン投影方法として、単独で実施されてもよい。また、上記ステップ４０１およびステップ４０４は、第２電子機器を実行主体とするスクリーン投影方法として、単独で実施されてもよい。
【００５４】
選択可能な態様として、第１電子機器が受信した所定タイプの信号が、２個以上の第２電子機器から送信されたものである可能性があるため、通常、実際の応用場面においては、これら第２電子機器のうちの１つを選択してスクリーン投影を行ってもよい。すなわち、図４Ａのステップ４０２において、図４Ｂに示すように、第１電子機器が、所定タイプの信号を受信すると共に、該所定タイプの信号を送信した第２電子機器との間で所定タイプの接続を構築する。図４Ｂは、例示的な一実施例に係る第１電子機器と、所定タイプの信号を送信した第２電子機器との間で、所定タイプの接続を構築するときの流れを示すフローチャートである。第１電子機器と該所定タイプの信号を送信した第２電子機器との間で、所定タイプの接続を構築する処理は、図４Ｂに示す次のステップを含んでもよい。
【００５５】
ステップ４０２ａにおいて、第１電子機器が、各所定タイプの信号を解析し、所定タイプの信号をブロードキャストして送信した少なくとも１つの第２電子機器を取得する。
【００５６】
第１電子機器が受信した所定タイプの信号は、複数の第２電子機器からブロードキャストして送信されたものである可能性がある。したがって、これら所定タイプの信号を送信した第２電子機器を取得するために、受信した所定タイプの信号を解析し、所定タイプの信号に組み込まれた送信元の識別子フィールドに基づいて、所定タイプの信号を送信した少なくとも１つの第２電子機器を特定してもよい。
【００５７】
ステップ４０２ｂにおいて、第１電子機器が、第２電子機器のうち所定条件を満たす第２電子機器との間で、所定タイプの接続を構築する。
【００５８】
なお、所定タイプの信号がブルートゥース信号、または近距離無線通信（ＮＦＣ）信号である場合には、ここで言う所定条件を満たす第２電子機器とは、取得された各第２電子機器のうち、第１電子機器に最も近い第２電子機器であってもよく、または、取得された各第２電子機器の中からユーザが選択した第２電子機器であってもよい。
【００５９】
また、所定タイプの信号がワイヤレス・ファイデリティ（ＷｉＦｉ）・フレームである場合には、ここで言う所定条件を満たす第２電子機器とは、取得された各第２電子機器のうち、第１電子機器とは同一ＬＡＮ内に含まれ、且つ第１電子機器に最も近い第２電子機器であってもよく、または、取得された第１電子機器とは同一ＬＡＮ内に含まれる各第２電子機器の中からユーザが選択した第２電子機器であってもよい。
【００６０】
所定タイプの信号に基づいて、第１電子機器と、第２電子機器のうち所定条件を満たす第２電子機器との間で所定タイプの接続を構築する処理は、具体的には、次の４つの態様に分類される。
【００６１】
第１態様としては、所定タイプの信号がブルートゥース信号または近距離無線通信（ＮＦＣ）信号である場合に、第１電子機器に最も近い第２電子機器との間で所定タイプの接続を構築する。この場合、図４Ｃに示す次のステップを含む。
【００６２】
ステップ４０２ｂ１において、第１電子機器が各所定タイプの信号に基づいて、第１電子機器に最も近い第２電子機器を特定する。
【００６３】
ステップ４０２ｂ２において、第１電子機器が、特定した第２電子機器との間で所定タイプの接続を構築する。
【００６４】
第１電子機器が各所定タイプの信号に基づき、第１電子機器に最も近い第２電子機器を特定する処理には、（１）所定タイプの信号から、各所定タイプの信号の信号強度、および、所定タイプの信号を送信した放射周波数を取得する第１ステップと、（２）取得された、各所定タイプの信号の対応信号強度および対応放射周波数の前者または両者に基づき、第１電子機器に最も近い第２電子機器を特定する第２ステップが、含まれてもよい。
【００６５】
一般的には、第２電子機器が第１電子機器に近いほど、第１電子機器が受信する、第２電子機器からブロードキャストされる所定タイプの信号の信号強度が強くなる。したがって、所定タイプの信号の信号強度に基づいて、第１電子機器に最も近い第２電子機器を特定することができる。
【００６６】
選択可能な態様として、各第２電子機器が所定タイプの信号をブロードキャストする際の放射周波数は異っており、該放射周波数は、第１電子機器が所定タイプの信号を受信する信号強度に影響を及ぼす。これにより、所定タイプの信号が対応する信号強度および放射周波数に応じて、第１電子機器に最も近い第２電子機器を特定することができる。
【００６７】
第２態様としては、所定タイプの信号がブルートゥース信号または近距離無線通信（ＮＦＣ）信号である場合に、ユーザが選択した第２電子機器との間で所定タイプの接続を構築する。この場合、図４Ｄに示す次のステップを含む。
【００６８】
ステップ４０２ｂ３において、第１電子機器が、取得した第２電子機器を表示する。
【００６９】
ステップ４０２ｂ４において、第１電子機器が、表示された第２電子機器を選択する選択指示を受付けると共に、当該選択指示が示した第２電子機器との間で所定タイプの接続を構築する。
【００７０】
第１電子機器は、取得した第２電子機器を表示する。取得された第２電子機器は、１台、２台、または２台以上であってもよい。
【００７１】
ユーザは、第１電子機器上に表示された第２電子機器を選択することができる。また、これに対応するように、第１電子機器は、表示された第２電子機器を選択する対応の選択指示を受付けることにより、当該選択指示が示した（選択した）第２電子機器を特定し、特定した第２電子機器との間で所定タイプの接続を構築する。
【００７２】
第３態様としては、所定タイプの信号がワイヤレス・ファイデリティ（ＷｉＦｉ）・フレームである場合に、第２電子機器のうち所定条件を満たす第２電子機器との間で、所定タイプの接続を構築する。この場合、図４Ｅに示す次のステップを含む。
【００７３】
ステップ４０２ｂ５において、第１電子機器が、各所定タイプの信号に基づき、第１電子機器とは同一ＬＡＮ内に含まれ且つ第１電子機器に最も近い第２電子機器を、特定する。
【００７４】
ステップ４０２ｂ６において、第１電子機器が、特定した第２電子機器との間で所定タイプの接続を構築する。
【００７５】
所定タイプの信号がＷｉＦｉフレームである場合において構築できる所定タイプの接続は、第１電子機器および第２電子機器が同一ＬＡＮ内に含まれることが要求される。したがって、所定タイプの接続を構築可能にするためには、第１電子機器は、特定された各第２電子機器のうち、第１電子機器とは同一ＬＡＮ内に含まれる第２電子機器を選別する必要がある。
【００７６】
実際の応用として、第１電子機器は、所定タイプの信号に含まれたフィールドを解析し、第２電子機器の所属ＬＡＮを表すネットワーク識別子を得てもよい。そして、第１電子機器は、第１電子機器のネットワーク識別子に基づき、第１電子機器とは同様のネットワーク識別子を持つ第２電子機器を取得する。
【００７７】
さらに、第１電子機器は、選別した第２電子機器のうち、第１電子機器に最も近い第２電子機器を特定する。第１電子機器が、第１電子機器に最も近い第２電子機器を特定する処理は、（１）所定タイプの信号から、各所定タイプの信号の信号強度、および、所定タイプの信号を送信した放射周波数を取得する第１ステップと、（２）取得された、各所定タイプの信号の対応信号強度および対応放射周波数の前者または両者に基づき、第１電子機器に最も近い第２電子機器を特定する第２ステップと、含んでもよい。
【００７８】
第４態様としては、所定タイプの信号がワイヤレス・ファイデリティ（ＷｉＦｉ）・フレームである場合に、第２電子機器のうち所定条件を満たす第２電子機器との間で、所定タイプの接続を構築する。この場合、図４Ｆに示す次のステップを含む。
【００７９】
ステップ４０２ｂ７において、取得された、第１電子機器とは同一ＬＡＮ内に含まれる第２電子機器を、第１電子機器が表示する。
【００８０】
ステップ４０２ｂ８において、第１電子機器が、表示された第２電子機器を選択する選択指示を受付けると共に、当該選択指示が示した第２電子機器との間で所定タイプの接続を構築する。
【００８１】
所定タイプの信号がワイヤレス・ファイデリティ（ＷｉＦｉ）・フレームである場合、上述と類似的に、第１電子機器は、所定タイプの接続を構築するために、特定された各第２電子機器のうち、第１電子機器とは同一ＬＡＮ内に含まれる第２電子機器を選別し、選別した当該第２電子機器を表示する必要がある。
【００８２】
なお、ユーザの実際使用にさらに適合させるために、第２電子機器を選択するための選択インタフェースをユーザに提供してもよく、または、各第２電子機器の一覧リストを表示してもよい。ユーザは、これら第２電子機器のうち、投影される予定の第２電子機器を選択する。また、これに対応するように、第１電子機器は、表示された第２電子機器を選択する選択指示を受付けることにより、当該選択指示が示した第２電子機器を特定し、特定した第２電子機器との間で所定タイプの接続を構築する。
【００８３】
上述したように、本発明の実施例において提供されるスクリーン投影方法は、所定条件を満たす１つの第２電子機器を選択すると共に、該第２電子機器との間で所定タイプの接続を構築し、構築された所定タイプの接続をトリガーとして、第２電子機器に対しＷｉＦｉ−Ｐ２Ｐ接続サービスを起動させてＷｉＦｉ−Ｐ２Ｐ接続を構築し、スクリーン投影を実現する。中でも、所定条件を満たす１つの第２電子機器との間でＷｉＦｉ−Ｐ２Ｐ接続を構築することができるため、所定条件を満たした第２電子機器のみに第１電子機器のスクリーン情報が表示されることが確保され、実際の応用場面にさらに適合される。
【００８４】
選択可能な態様として、図４Ａのステップ４０５において、第１電子機器が第２電子機器対してスクリーン投影を行う処理は、図４Ｇに示す次のステップを含んでもよい。
【００８５】
ステップ４０５ａにおいて、第１電子機器が、第１電子機器のスクリーン情報を圧縮し、リアルタイム・ストリーミング・プロトコール（ｒｔｓｐ）ストリームを生成する。
【００８６】
スクリーン投影に関するプロトコールによれば、第１電子機器におけるスクリーン情報を高速に第２電子機器に投影するためには、第１電子機器が、第１電子機器のスクリーン上に表示されたスクリーン情報を圧縮し、ｒｔｓｐストリームを生成する必要がある。また、後に続くスクリーン投影においても、第１電子機器のスクリーン上に新たに表示されたスクリーン情報を継続的に圧縮し、ｒｔｓｐストリームを生成する。
【００８７】
ステップ４０５ｂにおいて、第２電子機器がＷｉＦｉ−Ｐ２Ｐ接続に基づき、第１電子機器のスクリーン情報のリアルタイム・ストリーミング・プロトコール（ｒｔｓｐ）ストリームを取得するための取得要求を、第１電子機器に送信する。
【００８８】
実際の応用として、第２電子機器は、第１電子機器との間でＷｉＦｉ−Ｐ２Ｐ接続を構築した後、第１電子機器のスクリーン上のスクリーン情報を表示する必要がある場合には、ｒｔｓｐストリームを取得する取得要求を、構築されたＷｉＦｉ−Ｐ２Ｐ接続に基づいて第１電子機器に送信してもよい。
【００８９】
選択可能な態様として、第１電子機器は、第２電子機器との間でＷｉＦｉ−Ｐ２Ｐ接続を構築した後に、圧縮生成されたｒｔｓｐストリームを直接に第２電子機器にプッシュしてもよい。
【００９０】
ステップ４０５ｃにおいて、第２電子機器がＷｉＦｉ−Ｐ２Ｐ接続に基づいて送信した、ｒｔｓｐストリームを取得するための取得請求を、第１電子機器が受信する。
【００９１】
ステップ４０５ｄにおいて、第１電子機器がＷｉＦｉ−Ｐ２Ｐ接続に基づき、ｒｔｓｐストリームを第２電子機器に送信する。
【００９２】
なお、ｒｔｓｐストリームは、ｒｔｓｐストリームに応じたスクリーン情報を、第２電子機器に対して該第２電子機器のスクリーン上に表示させるトリガーでもある。
【００９３】
ステップ４０５ｅにおいて、第２電子機器がＷｉＦｉ−Ｐ２Ｐ接続に基づき、第１電子機器から送信されたｒｔｓｐストリームを受信する。
【００９４】
ステップ４０５ｆにおいて、第２電子機器が、ｒｔｓｐストリームに応じたスクリーン情報を該第２電子機器のスクリーン上に表示する。
【００９５】
通常、後列スクリーン投影中は、ＷｉＦｉ−Ｐ２Ｐ接続が切断（中断）されなければ、最新に生成されたｒｔｓｐストリームをリアルタイムで第１電子機器から第２電子機器に送信することにより、第１電子機器のスクリーン情報を第２電子機器上に同期表示することができる。
【００９６】
図４Ｈを参照する。図４Ｈは、例示的な一実施例に係る第２電子機器のスクリーン上に、第１電子機器のスクリーン情報を同期表示する様子を示す模式図である。なお、図４Ｈにおいて、第２電子機器のスクリーン１４０上に表示されるスクリーン情報と、第１電子機器１２０のスクリーン上に表示されるスクリーン情報とは同様である。
【００９７】
選択可能な態様として、第２電子機器は、第１電子機器のスクリーン情報を継続的に表示する必要がない場合には、第１電子機器が送信したｒｔｓｐストリームをそのまま破棄してもよく、または、投影中止要求を第１電子機器に送信してもよい。この投影中止要求は、トリガーとして、第１電子機器によるスクリーン情報の圧縮、および、第２電子機器に対するｒｔｓｐストリームの送信を第１電子機器に中止させるものであり、または、第１電子機器との間のＷｉＦｉ−Ｐ２Ｐ接続を中止させるものである。
【００９８】
上述したように、本発明の実施例において提供されるスクリーン投影方法は、第１電子機器上のスクリーン情報を圧縮してｒｔｓｐストリームを生成し、第２電子機器からのアクセスがあったときにｒｔｓｐストリームを第２電子機器に送信することにより、ｒｔｓｐストリームに応じた第１電子機器のスクリーン情報を第２電子機器上に表示させる。これにより、第１電子機器のスクリーン情報を第２電子機器のスクリーン上に投影するスクリーン投影プロセスを実現し、ユーザが第１電子機器のスクリーン上の内容を第２電子機器で観るという実際の需要を満たしている。
【００９９】
なお、上記ステップ４０５ａをステップ４０５ｃの後に実行してもよい。本実施例において、ステップ４０５ａおよびステップ４０５ｃの手順は限定されない。また、上記ステップ４０５ａ、ステップ４０５ｃおよびステップ４０５ｄは、第１電子機器を実行主体とするスクリーン投影方法として、それぞれ単独で実施されてもよい。上記ステップ４０５ｂ、ステップ４０５ｅおよびステップ４０５ｆは、第２電子機器を実行主体とするスクリーン投影方法として、それぞれ単独で実施されてもよい。
【０１００】
選択可能な態様として、第１電子機器は、スクリーン情報を少なくとも２つの第２電子機器に同時に投影してもよい。また、所定条件を満たす第２電子機器は、第１電子機器が特定した各第２電子機器、または第１電子機器が特定した指定タイプの第２電子機器、または第１電子機器が特定した最も第１電子機器に近い指定個数の第２電子機器であってもよい。
【０１０１】
例えば、第１電子機器は、特定した各第２電子機器に対してスクリーン投影を行ってもよい。さらに、例えば、第１電子機器は、指定タイプが携帯電話である第２電子機器に対してスクリーン投影を行ってもよく、または、指定タイプが携帯電話である第２電子機器および指定タイプがスマートテレビである第２電子機器に対してスクリーン投影を行ってもよい。さらに、例えば、第１電子機器は、第１電子機器に近接する３つの第２電子機器に対してスクリーン投影を行ってもよい。
【０１０２】
実際の応用場面として、例えば或るユーザが所持の携帯電話（すなわち第１電子機器）のスクリーン情報を複数の来客に同期して共有したいときには、該ユーザが所持する携帯電話のスクリーン情報をリビングのテレビ（すなわち第２電子機器）上に投影すれば、他の来客がリビングのテレビを介して第１電子機器のスクリーン情報を取得することができ、情報の同期が確保され、情報共有が実現される。また、選択的な態様として、該ユーザが所持の携帯電話と書斎に居るユーザとの同期を行いたいときには、当該携帯電話のスクリーン情報を、書斎に居るユーザの携帯電話に投影してもよい。これにより、室内の各機器間の情報同期や共有が確保され、ユーザ体験が向上する。
【０１０３】
図４Ｉを参照する。図４Ｉは、例示的な一実施例に係る異なるタイプの２つの第２電子機器に対し、同時にスクリーン投影を行う様子を示す模式図である。第１電子機器１２０は、スクリーン情報を、タイプがスマートテレビである第２電子機器１４０、およびタイプがスマートフォンである第２電子機器１４０のスクリーン上に同時にスクリーン投影する。
【０１０４】
以下は、本発明に係る装置の実施例を説明する。該装置の実施例において、本発明に係る方法の実施例を実行することができる。なお、本発明に係る装置の実施例において記載されていない細部内容に関しては、本発明に係る方法の実施例を参照すればよい。
【０１０５】
図５は、例示的な一実施例に係るスクリーン投影装置を示すブロック図である。図５に示すように、該スクリーン投影装置は、図１に示す実施環境における第１電子機器１２０に適用されるものである。なお、該スクリーン投影装置は、ハードウェア、ソフトウェア、または両者の組み合わせにより、第１電子機器の一部として実現されうる。また、該スクリーン投影装置には、構築モジュール５０２、通知モジュール５０４および投影モジュール５０６が含まれるが、これに限定されない。
【０１０６】
構築モジュール５０２は、所定タイプの信号を受信すると共に、所定タイプの信号を送信した第２電子機器との間で、所定タイプの信号とは同タイプの信号を伝送するための所定タイプの接続を構築するように構成されている。
【０１０７】
通知モジュール５０４は、構築モジュール５０２が構築した所定タイプの接続に基づき、ワイヤレス・ファイデリティ・ピアツーピア（ＷｉＦｉ−Ｐ２Ｐ）接続サービスを起動させるように第２電子機器に通知するように構成されている。
【０１０８】
投影モジュール５０６は、第１電子機器がＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行うように構成されている。
【０１０９】
上述したように、本発明の実施例において提供されるスクリーン投影装置は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１１０】
図６は、例示的な別の実施例に係るスクリーン投影装置を示すブロック図である。図６に示すように、該スクリーン投影装置は、図１に示す実施環境における第１電子機器１２０に適用されるものである。なお、該スクリーン投影装置は、ハードウェア、ソフトウェア、または両者の組み合わせにより第１電子機器の一部として実現されうる。また、該スクリーン投影装置には、構築モジュール６０２、通知モジュール６０４および投影モジュール６０６が含まれるが、これに限定されない。
【０１１１】
構築モジュール６０２は、所定タイプの信号を受信すると共に、所定タイプの信号を送信した第２電子機器との間で、所定タイプの信号とは同タイプの信号を伝送するための所定タイプの接続を構築するように構成されている。
【０１１２】
通知モジュール６０４は、構築モジュール６０２が構築した所定タイプの接続に基づき、ワイヤレス・ファイデリティ・ピアツーピア（ＷｉＦｉ−Ｐ２Ｐ）接続サービスを起動させるように第２電子機器に通知するように構成されている。
【０１１３】
投影モジュール６０６は、第１電子機器がＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行うように構成されている。
【０１１４】
実現可能な一形態として、構築モジュール６０２は、第１取得サブモジュール６０２ａおよび第１構築サブモジュール６０２ｂを含む。
【０１１５】
第１取得サブモジュール６０２ａは、各所定タイプの信号を解析し、所定タイプの信号をブロードキャストして送信した少なくとも１つの第２電子機器を取得するように構成されている。
【０１１６】
第１構築サブモジュール６０２ｂは、第１取得サブモジュール６０２ａが取得した第２電子機器のうち所定条件を満たす第２電子機器との間で、所定タイプの接続を構築するように構成されている。
【０１１７】
実現可能な一形態として、所定タイプの信号はブルートゥース信号または近距離無線通信（ＮＦＣ）信号であり、第１構築サブモジュール６０２ｂは、
各所定タイプの信号に基づき、第１電子機器に最も近い第２電子機器を特定し、特定した第２電子機器との間で所定タイプの接続を構築するように構成された第２構築サブモジュール６０２ｂ１、または、
第１取得サブモジュール６０２ａが取得した第２電子機器を表示し、表示された第２電子機器を選択する選択指示を受付けると共に、当該選択指示が示した第２電子機器との間で所定タイプの接続を構築するように構成された第３構築サブモジュール６０２ｂ２を、含む。
【０１１８】
実現可能な一形態として、第２構築サブモジュール６０２ｂ１は、
所定タイプの信号から、各所定タイプの信号の信号強度、および、所定タイプの信号を送信した放射周波数を取得するように構成された第２取得サブモジュール６０２ｂ１１と、
第２取得サブモジュール６０２ｂ１１が取得した、各所定タイプの信号の対応信号強度および対応放射周波数の前者または両者に基づき、第１電子機器に最も近い第２電子機器を特定するように構成された特定サブモジュール６０２ｂ１２と、を含む。
【０１１９】
実現可能な一形態として、所定タイプの信号がワイヤレス・ファイデリティ（ＷｉＦｉ）・フレームである場合には、第１構築サブモジュール６０２ｂは、
各所定タイプの信号に基づき、第１電子機器とは同一ＬＡＮ内に含まれ且つ第１電子機器に最も近い第２電子機器を特定し、特定した第２電子機器との間で所定タイプの接続を構築するように構成された第４構築サブモジュール６０２ｂ３、または、
第１取得サブモジュール６０２ａが取得した、第１電子機器とは同一ＬＡＮ内に含まれる第２電子機器を表示し、表示された第２電子機器を選択する選択指示を受付けると共に、当該選択指示が示した第２電子機器との間で所定タイプの接続を構築するように構成された第５構築サブモジュール６０２ｂ４、を含む。
【０１２０】
実現可能な一形態として、投影モジュール６０６は、生成サブモジュール６０６ａ、受信サブモジュール６０６ｂおよび送信サブモジュール６０６ｃを含んでもよい。
【０１２１】
生成サブモジュール６０６ａは、第１電子機器のスクリーン情報を圧縮し、リアルタイム・ストリーミング・プロトコール（ｒｔｓｐ）ストリームを生成するように構成されている。
【０１２２】
受信サブモジュール６０６ｂは、第２電子機器がＷｉＦｉ−Ｐ２Ｐ接続に基づいて送信した、ｒｔｓｐストリームを取得するための取得要求を受信するように構成されている。
【０１２３】
送信サブモジュール６０６ｃは、生成サブモジュールが生成したｒｔｓｐストリームを、該ｒｔｓｐストリームに応じたスクリーン情報を第２電子機器に対して該第２電子機器のスクリーン上に表示させるためのトリガーとして、ＷｉＦｉ−Ｐ２Ｐ接続に基づいて第２電子機器に送信するように構成されている。
【０１２４】
上述したように、本発明の実施例において提供されるスクリーン投影装置は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１２５】
本発明の実施例において提供されるスクリーン投影装置は、所定条件を満たす１つの第２電子機器を選択すると共に、該第２電子機器との間で所定タイプの接続を構築し、構築された所定タイプの接続をトリガーとして、第２電子機器に対しＷｉＦｉ−Ｐ２Ｐ接続サービスを起動させてＷｉＦｉ−Ｐ２Ｐ接続を構築し、スクリーン投影を実現する。中でも、所定条件を満たす１つの第２電子機器との間でＷｉＦｉ−Ｐ２Ｐ接続を構築することができるため、所定条件を満たした第２電子機器のみに第１電子機器のスクリーン情報が表示されることが確保され、実際の応用場面にさらに適合される。
【０１２６】
本発明の実施例において提供されるスクリーン投影装置は、第１電子機器上のスクリーン情報を圧縮してｒｔｓｐストリームを生成し、第２電子機器からのアクセスがあったときにｒｔｓｐストリームを第２電子機器に送信することにより、ｒｔｓｐストリームに応じた第１電子機器のスクリーン情報を第２電子機器上に表示させる。これにより、第１電子機器のスクリーン情報を第２電子機器のスクリーン上に投影するスクリーン投影プロセスを実現し、ユーザが第１電子機器のスクリーン上の内容を第２電子機器で観るという実際の需要を満たしている。
【０１２７】
図７は、例示的な更なる別の実施例に係るスクリーン投影装置を示すブロック図である。図７に示すように、該スクリーン投影装置は、図１に示す実施環境における第２電子機器１４０に適用されるものである。なお、該スクリーン投影装置は、ハードウェア、ソフトウェア、または両者の組み合わせにより第１電子機器の一部として実現されうる。また、該スクリーン投影装置には、ブロードキャストモジュール７０２、第１構築モジュール７０４、起動モジュール７０６および第２構築モジュール７０８が含まれるが、これに限定されない。
【０１２８】
ブロードキャストモジュール７０２は、所定タイプの信号をブロードキャストして送信するように構成されている。
【０１２９】
第１構築モジュール７０４は、ブロードキャストモジュールがブロードキャストした所定タイプの信号とは同タイプの信号を伝送するための所定タイプの接続を、第１電子機器との間で構築するように構成されている。
【０１３０】
起動モジュール７０６は、第１電子機器から送信された通知を、第１構築モジュール７０４が構築した所定タイプの接続に基づいて受信した後に、ワイヤレス・ファイデリティ・ピアツーピア（ＷｉＦｉ−Ｐ２Ｐ）接続サービスを起動させるように構成されている。
【０１３１】
第２構築モジュール７０８は、ＷｉＦｉ−Ｐ２Ｐ接続サービス起動済みの第１電子機器との間で、第１電子機器から第２電子機器へのスクリーン投影を実現するためのＷｉＦｉ−Ｐ２Ｐ接続を構築するように構成されている。
【０１３２】
上述したように、本発明の実施例において提供されるスクリーン投影装置は、所定タイプの信号を、第１電子機器に受信されるようにブロードキャストし、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。第２電子機器は、所定タイプの信号をブロードキャストして送信することができるため、特定のアプリケーションをインストールしておく必要がなく、手間のかかるユーザ操作も必要がない。したがって、従来の関連技術において、第１電子機器および第２機器に特定のアプリケーションをインストールしておく必要があり、且つ、該アプリケーションを同時に起動させてから、ユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１３３】
図８は、例示的な更なる別の実施例に係るスクリーン投影装置を示すブロック図である。図８に示すように、該スクリーン投影装置は、図１に示す実施環境における第２電子機器１４０に適用されるものである。なお、該スクリーン投影装置は、ハードウェア、ソフトウェア、または両者の組み合わせにより第１電子機器の一部として実現されうる。また、該スクリーン投影装置には、ブロードキャストモジュール８０２、第１構築モジュール８０４、起動モジュール８０６および第２構築モジュール８０８が含まれるが、これに限定されない。
【０１３４】
ブロードキャストモジュール８０２は、所定タイプの信号をブロードキャストして送信するように構成されている。
【０１３５】
第１構築モジュール８０４は、ブロードキャストモジュール８０２がブロードキャストした所定タイプの信号とは同タイプの信号を伝送するための所定タイプの接続を、第１電子機器との間で構築するように構成されている。
【０１３６】
起動モジュール８０６は、第１電子機器から送信された通知を、第１構築モジュール８０４が構築した所定タイプの接続に基づいて受信した後に、ワイヤレス・ファイデリティ・ピアツーピア（ＷｉＦｉ−Ｐ２Ｐ）接続サービスを起動させるように構成されている。
【０１３７】
第２構築モジュール８０８は、ＷｉＦｉ−Ｐ２Ｐ接続サービス起動済みの第１電子機器との間で、第１電子機器から第２電子機器へのスクリーン投影を実現するためのＷｉＦｉ−Ｐ２Ｐ接続を構築するように構成されている。
【０１３８】
実現可能な一形態として、該スクリーン投影装置は、送信モジュール８１０、受信モジュール８１２および表示モジュール８１４をさらに含んでもよい。
【０１３９】
送信モジュール８１０は、ＷｉＦｉ−Ｐ２Ｐ接続に基づき、第１電子機器のスクリーン情報のリアルタイム・ストリーミング・プロトコール（ｒｔｓｐ）ストリームを取得するための取得要求を、第１電子機器に送信するように構成されている。
【０１４０】
受信モジュール８１２は、ＷｉＦｉ−Ｐ２Ｐ接続に基づき、第１電子機器から送信された、第１電子機器が自機器のスクリーン情報を圧縮したｒｔｓｐストリームを受信するように構成されている。
【０１４１】
表示モジュール８１４は、ｒｔｓｐストリームに応じたスクリーン情報を第２電子機器のスクリーン上に表示するように構成されている。
【０１４２】
上述したように、本発明の実施例において提供されるスクリーン投影装置は、所定タイプの信号を、第１電子機器に受信されるようにブロードキャストし、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。第２電子機器は、所定タイプの信号をブロードキャストして送信することができるため、特定のアプリケーションをインストールしておく必要がなく、手間のかかるユーザ操作も必要がない。したがって、従来の関連技術において、第１電子機器および第２機器に特定のアプリケーションをインストールしておく必要があり、且つ、該アプリケーションを同時に起動させてから、ユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１４３】
なお、上述した実施例における装置の各モジュールの具体的な動作形式については、対応の方法の実施例において既に詳細に説明されたため、ここでそれらの詳細を省略する。
【０１４４】
本発明の例示的な一実施例において提供されるスクリーン投影システムは、図５または図６で説明したスクリーン投影装置を含む第１電子機器と、図７または図８で説明したスクリーン投影装置を含む第２電子機器と、含むスクリーン投影システムである。具体的には、図５〜図８での説明を参照すればよく、ここではそれらの詳細を省略する。
【０１４５】
本発明の例示的な一実施例は、第１電子機器に適用され、本発明で提供されるスクリーン投影方法を実現可能なスクリーン投影装置であって、プロセッサと、プロセッサが実行可能なコマンドを記憶するメモリとを含み、
該プロセッサは、
所定タイプの信号を受信すると共に、前記所定タイプの信号を送信した第２電子機器との間で、前記所定タイプの信号とは同タイプの信号を伝送するための所定タイプの接続を構築し、
前記所定タイプの接続に基づき、ワイヤレス・ファイデリティ・ピアツーピア（ＷｉＦｉ−Ｐ２Ｐ）接続サービスを起動させるように前記第２電子機器に通知し、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成されている、スクリーン投影装置を提供する。
【０１４６】
また、本発明の例示的な別の実施例は、第２電子機器に適用され、本発明で提供されるスクリーン投影方法を実現可能なスクリーン投影装置であって、プロセッサと、プロセッサが実行可能なコマンドを記憶するメモリとを含み、
該プロセッサは、
所定タイプの信号をブロードキャストして送信し、
前記所定タイプの信号とは同タイプの信号を伝送するための所定タイプの接続を、第１電子機器との間で構築し、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させ、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成されている、スクリーン投影装置を提供する。
【０１４７】
図９は、例示的な更なる別の実施例に係るスクリーン投影装置を示すブロック図である。装置９００は、表示パネルを備えた携帯電話、コンピュータ、デジタルブロードキャスト端末、メッセージ送受信機器、ゲーム操作プラットフォーム、タブレット機器、医療機器、健康機器、ＰＤＡ（Ｐｅｒｓｏｎａｌ  Ｄｉｇｉｔａｌ  Ａｓｓｉｓｔａｎｔ）などである。
【０１４８】
図９を参照する。装置９００は、プロセッサアセンブリ９０２、メモリ９０４、電源アセンブリ９０６、マルチメディアアセンブリ９０８、オーディオアセンブリ９１０、入力／出力（Ｉ／Ｏ）インターフェース９１２、センサアセンブリ９１４、および通信アセンブリ９１６のうちの１つまたは複数を含んでもよい。
【０１４９】
プロセッサアセンブリ９０２は、通常では装置９００の全体的な操作、例えば表示、電話呼出、データ通信、カメラ動作や記憶動作に関する操作を制御する。プロセッサアセンブリ９０２は、上述した方法の全部または一部のステップを完了させるコマンドを実行する１つまたは複数のプロセッサ９１８を含んでもよい。また、プロセッサアセンブリ９０２は、プロセッサアセンブリ９０２と別のアセンブリとの間のインタラクションを処理するのための１つまたは複数のモジュールを含んでもよい。例えば、プロセッサアセンブリ９０２は、マルチメディアアセンブリ９０８とプロセッサアセンブリ９０２との間のインタラクションを処理するためのマルチメディアモジュールを含んでもよい。
【０１５０】
メモリ９０４は、装置９００における操作をサポートする各種のデータを記憶するように構成されている。これらのデータは、例えば、装置９００において操作される何らかのアプリケーションまたは方法のコマンドや、連絡先データ、電話帳データ、メッセージ、画像、映像などを含む。メモリ９０４は、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク若しくは光ディスクのような、いかなるタイプの揮発性または非揮発性の記憶デバイス、またはこれらの組み合わせによって実現され得る。
【０１５１】
電源アセンブリ９０６は、装置９００の各アセンブリに電力を供給する。電源アセンブリ９０６は、電源管理システムと、１つまたは複数の電源と、装置９００のために電力を生成、管理及び分配を行う関連のアセンブリと、を含んでもよい。
【０１５２】
マルチメディアアセンブリ９０８は、装置９００とユーザとの間で出力インターフェースを提供するスクリーンを含む。一部の実施例において、スクリーンは、液晶モニター（ＬＣＤ）やタッチパネル（ＴＰ）を含んでもよい。スクリーンは、タッチパネルを含むことにより、ユーザからの入力信号を受付けるタッチスクリーンとして実現される。タッチパネルは、タッチ、スライド、及びタッチパネル上のジェスチャを検出可能な１つまたは複数のタッチセンサを含む。タッチセンサは、タッチ或はスライド動作の境界だけではなく、タッチ或はスライド操作に関する継続時間及び圧力も検出できる。一部の実施例において、マルチメディアアセンブリ９０８は、１つのフロントカメラ及び／又はリアーカメラを含む。装置９００が例えば撮影モード或は映像モード等の操作モードである場合には、フロントカメラ及び／又はリアーカメラは、外部からのマルチメディアデータを受信することができる。フロントカメラおよびリアーカメラのそれぞれは、１つの固定型の光レンズ系、或は可変な焦点距離および光学ズーム機能を有するものであってもよい。
【０１５３】
オーディオアセンブリ９１０は、オーディオ信号を入力／出力するように構成されている。例えば、オーディオアセンブリ９１０は、装置９００が呼出モード、記録モード、及び音声認識モード等のような操作モードであるときに外部のオーディオ信号を受信するように構成されたマイク（ＭＩＣ）を含む。受信されたオーディオ信号は、さらにメモリ９０４に記憶されるか、通信アセンブリ９１６を介して送信されてもよい。一部の実施例において、オーディオアセンブリ９１０は、オーディオ信号を出力するためのスピーカーをさらに含む。
【０１５４】
Ｉ／Ｏインターフェース９１２は、プロセッサアセンブリ９０２と周辺インターフェースモジュールとの間のインターフェースを提供するものである。上述の周辺インターフェースモジュールは、キーボード、クリックホイール、ボタン等であってもよい。これらのボタンは、ホームボタン、音量ボタン、起動ボタン、ロッキングボタンを含んでもよいが、これらに限定されない。
【０１５５】
センサアセンブリ９１４は、各方面の状態評価を装置９００に提供するための１つまたは複数のセンサを含む。例えば、センサアセンブリ９１４は、装置９００のＯＮ／ＯＦＦ状態や、装置９００における例えばディスプレイやテンキーパッドのようなアセンブリの相対的な位置決めを検出できる。また、センサアセンブリ９１４は、装置９００や装置９００におけるアセンブリの位置変化、ユーザと装置９００との接触の有無、装置９００の方位若しくは加速／減速、および装置９００の温度変化を検出できる。センサアセンブリ９１４は、いかなる物理的接触も無い場合に周辺物体の存在を検出するための接近センサを含んでもよい。さらに、センサアセンブリ９１４は、画像生成アプリケーションに用いられるＣＭＯＳ又はＣＣＤ画像センサのような光センサを含んでもよい。一部の実施例において、該センサアセンブリ９１４は、加速度センサ、ジャイロスコープセンサ、磁気センサ、圧力センサ、及び温度センサをさらに含んでもよい。
【０１５６】
通信アセンブリ９１６は、装置９００と他の機器との間で有線、又は無線方式の通信を提供するように構成される。装置９００は、例えばＷｉＦｉ、２Ｇ、３Ｇ或はそれらの組み合わせのような、通信規格に基づく無線ネットワークに接続されてもよい。例示的な一実施例において、通信アセンブリ９１６は、ブロードキャストチャネルを介して、外部のブロードキャスト管理システムからのブロードキャスト信号、又はブロードキャストに関連する情報を受信する。例示的な一実施例において、通信アセンブリ９１６は、近距離通信を促進するための近距離無線通信（ＮＦＣ）モジュールをさらに含む。ＮＦＣモジュールは、例えばＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ：ブルートゥース）技術や、他の技術に基づいて実現される。
【０１５７】
例示的な一実施例において、装置９００は、１つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子デバイスによって実現されるものであり、上記の方法を実行する。
【０１５８】
また、例示的な一実施例において、さらに、コマンドを含んだ一時的でないコンピュータ読み取り可能な記憶媒体として、例えば、装置９００のプロセッサ９１８により実行されることで上述の方法が実現されるようなコマンドを含んだメモリ９０４をさらに提供する。一時的でないコンピュータ読み取り可能な記憶媒体は、例えば、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光学的データ記憶機器等である。
【０１５９】
当業者は、本明細書に開示された発明の詳細を参照し実施することにより、本発明の他の実施態様を容易に見い出せる。本願は、本発明のいかなる変形、用途、又は適応的な変化を包含することが意図されている。当該いかなる変形、用途、又は適応的な変化は、本発明の一般原理に従うものであり、且つ本発明において開示されていない本技術分野における公知常識や慣用の技術的手段を含む。明細書及び実施例は、あくまでも例示的なものであると理解されるべきである。本発明の真正の保護範囲および精神は、特許請求の範囲により特定される。
【０１６０】
本発明は、上記において開示された構成、又は図面に示された構成に限定されるものではなく、本発明の範囲を逸脱しないものであれば、様々な改修又は変更が行えることが理解されるべきである。本発明の範囲は、特許請求の範囲のみにより特定される。 
【図１】
2017511553.tif 000003
【図２】
2017511553.tif 000004
【図３】
2017511553.tif 000005
【図４Ａ】
2017511553.tif 000006
【図４Ｂ】
2017511553.tif 000007
【図４Ｃ】
2017511553.tif 000008
【図４Ｄ】
2017511553.tif 000009
【図４Ｅ】
2017511553.tif 000010
【図４Ｆ】
2017511553.tif 000011
【図４Ｇ】
2017511553.tif 000012
【図４Ｈ】
2017511553.tif 000013
【図４Ｉ】
2017511553.tif 000014
【図５】
2017511553.tif 000015
【図６】
2017511553.tif 000016
【図７】
2017511553.tif 000017
【図８】
2017511553.tif 000018
【図９】
2017511553.tif 000019
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
第１電子機器に適用されるスクリーン投影方法であって、
所定タイプの信号を受信すると共に、前記所定タイプの信号を送信した第２電子機器との間で、前記所定タイプの信号とは同タイプの信号を伝送するための所定タイプの接続を構築するステップと、
前記所定タイプの接続に基づき、前記第２電子機器にＷｉＦｉ−Ｐ２Ｐ（ワイヤレス・ファイデリティ・ピアツーピア）接続サービスを起動させるように通知するステップと、
前記第１電子機器が、前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うステップと、
を含むことを特徴とするスクリーン投影方法。
【請求項２】
前記所定タイプの信号を送信した第２電子機器との間で前記所定タイプの接続を構築するステップは、
各所定タイプの信号を解析し、前記所定タイプの信号をブロードキャストして送信した少なくとも１つの前記第２電子機器を取得するステップと、
前記第２電子機器のうち所定条件を満たす第２電子機器との間で、前記所定タイプの接続を構築するステップと、
を含むことを特徴とする請求項１に記載のスクリーン投影方法。
【請求項３】
前記所定タイプの信号は、ブルートゥース信号または近距離無線通信（ＮＦＣ）信号であり、
前記第２電子機器のうち所定条件を満たす第２電子機器との間で、前記所定タイプの接続を構築するステップは、
各所定タイプの信号に基づき、前記第１電子機器に最も近い第２電子機器を特定し、特定した前記第２電子機器との間で前記所定タイプの接続を構築するステップ、または、
取得された前記第２電子機器を表示し、表示された前記第２電子機器を選択する選択指示を受付けると共に、前記選択指示が示した第２電子機器との間で前記所定タイプの接続を構築するステップを、
含むことを特徴とする請求項２に記載のスクリーン投影方法。
【請求項４】
各所定タイプの信号に基づき、前記第１電子機器に最も近い第２電子機器を特定する処理には、
前記所定タイプの信号から、各所定タイプの信号の信号強度、および前記所定タイプの信号を送信した放射周波数を取得するステップと、
取得された、各所定タイプの信号の対応信号強度および対応放射周波数の前者またはこの両者に基づき、前記第１電子機器に最も近い第２電子機器を特定するステップと、
が含まれることを特徴とする請求項３に記載のスクリーン投影方法。
【請求項５】
前記所定タイプの信号は、ワイヤレス・ファイデリティ（ＷｉＦｉ）・フレームであり、
前記第２電子機器のうち所定条件を満たす第２電子機器との間で、前記所定タイプの接続を構築するステップは、
各所定タイプの信号に基づき、前記第１電子機器とは同一ＬＡＮ内に含まれ且つ前記第１電子機器に最も近い第２電子機器を特定し、特定した前記第２電子機器との間で前記所定タイプの接続を構築するステップ、または、
取得された、前記第１電子機器とは同一ＬＡＮ内に含まれる第２電子機器を表示し、表示された前記第２電子機器を選択する選択指示を受付けると共に、前記選択指示が示した第２電子機器との間で前記所定タイプの接続を構築するステップを、
含むことを特徴とする請求項２に記載のスクリーン投影方法。
【請求項６】
前記第２電子機器に対してスクリーン投影を行う処理には、
前記第１電子機器のスクリーン情報を圧縮し、リアルタイム・ストリーミング・プロトコール（ｒｔｓｐ）ストリームを生成するステップと、
前記第２電子機器が前記ＷｉＦｉ−Ｐ２Ｐ接続に基づいて送信した、前記ｒｔｓｐストリームを取得するための取得要求を受信するステップと、
前記ｒｔｓｐストリームを、該ｒｔｓｐストリームに応じたスクリーン情報を前記第２電子機器に対して該第２電子機器のスクリーン上に表示させるためのトリガーとして、前記ＷｉＦｉ−Ｐ２Ｐ接続に基づいて前記第２電子機器に送信するステップと、
が含まれることを特徴とする請求項１〜５の何れか１項に記載のスクリーン投影方法。
【請求項７】
第２電子機器に適用されるスクリーン投影方法であって、
所定タイプの信号をブロードキャストして送信するステップと、
前記所定タイプの信号とは同タイプの信号を伝送するための所定タイプの接続を、第１電子機器との間で構築するステップと、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させるステップと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するステップと、
を含むことを特徴とするスクリーン投影方法。
【請求項８】
前記ＷｉＦｉ−Ｐ２Ｐ接続に基づき、前記第１電子機器のスクリーン情報のリアルタイム・ストリーミング・プロトコール（ｒｔｓｐ）ストリームを取得するための取得要求を前記第１電子機器に送信するステップと、
前記ＷｉＦｉ−Ｐ２Ｐ接続に基づき、前記第１電子機器から送信された、前記第１電子機器が自機器のスクリーン情報を圧縮した前記ｒｔｓｐストリームを受信するステップと、
前記ｒｔｓｐストリームに応じたスクリーン情報を前記第２電子機器のスクリーン上に表示するステップと、
をさらに含むことを特徴とする請求項７に記載のスクリーン投影方法。
【請求項９】
第１電子機器に適用されるスクリーン投影装置であって、
所定タイプの信号を受信すると共に、前記所定タイプの信号を送信した第２電子機器との間で、前記所定タイプの信号とは同タイプの信号を伝送するための所定タイプの接続を構築するように構成された構築モジュールと、
前記構築モジュールが構築した前記所定タイプの接続に基づき、前記第２電子機器にＷｉＦｉ−Ｐ２Ｐ（ワイヤレス・ファイデリティ・ピアツーピア）接続サービスを起動させるように通知するように構成された通知モジュールと、
前記第１電子機器が、前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成された投影モジュールと、
を含むことを特徴とするスクリーン投影装置。
【請求項１０】
前記構築モジュールは、
各所定タイプの信号を解析し、前記所定タイプの信号をブロードキャストして送信した少なくとも１つの第２電子機器を取得するように構成された第１取得サブモジュールと、
前記第１取得サブモジュールが取得した前記第２電子機器のうち所定条件を満たす第２電子機器との間で、前記所定タイプの接続を構築するように構成された第１構築サブモジュールと、
を含むことを特徴とする請求項９に記載のスクリーン投影装置。
【請求項１１】
前記所定タイプの信号は、ブルートゥース信号または近距離無線通信（ＮＦＣ）信号であり、
前記第１構築サブモジュールは、
各所定タイプの信号に基づき、前記第１電子機器に最も近い第２電子機器を特定し、特定した前記第２電子機器との間で前記所定タイプの接続を構築するように構成された第２構築サブモジュール、または、
前記第１取得サブモジュールが取得した前記第２電子機器を表示し、表示された前記第２電子機器を選択する選択指示を受付けると共に、前記選択指示が示した第２電子機器との間で前記所定タイプの接続を構築するように構成された第３構築サブモジュールを、
含むことを特徴とする請求項１０に記載のスクリーン投影装置。
【請求項１２】
前記第２構築サブモジュールは、
前記所定タイプの信号から、各所定タイプの信号の信号強度、および前記所定タイプの信号を送信した放射周波数を取得するように構成された第２取得サブモジュールと、
前記第２取得サブモジュールが取得した、各所定タイプの信号の対応信号強度および対応放射周波数の前者またはこの両者に基づき、前記第１電子機器に最も近い第２電子機器を特定するように構成された特定サブモジュールと、
を含むことを特徴とする請求項１１に記載のスクリーン投影装置。
【請求項１３】
前記所定タイプの信号は、ワイヤレス・ファイデリティ（ＷｉＦｉ）・フレームであり、
前記第１構築サブモジュールは、
各所定タイプの信号に基づき、前記第１電子機器とは同一ＬＡＮ内に含まれ且つ前記第１電子機器に最も近い第２電子機器を特定し、特定した前記第２電子機器との間で前記所定タイプの接続を構築するように構成された第４構築サブモジュール、または、
前記第１取得サブモジュールが取得した、前記第１電子機器とは同一ＬＡＮ内に含まれる第２電子機器を表示し、表示された前記第２電子機器を選択する選択指示を受付けると共に、前記選択指示が示した第２電子機器との間で前記所定タイプの接続を構築するように構成された第５構築サブモジュールを、
含むことを特徴とする請求項１０に記載のスクリーン投影装置。
【請求項１４】
前記投影モジュールは、
前記第１電子機器のスクリーン情報を圧縮し、ｒｔｓｐ（リアルタイム・ストリーミング・プロトコール）ストリームを生成するように構成された生成サブモジュールと、
前記第２電子機器が前記ＷｉＦｉ−Ｐ２Ｐ接続に基づいて送信した、前記ｒｔｓｐストリームを取得するための取得要求を受信するように構成された受信サブモジュールと、
前記生成サブモジュールが生成した前記ｒｔｓｐストリームを、該ｒｔｓｐストリームに応じたスクリーン情報を前記第２電子機器に対して該第２電子機器のスクリーン上に表示させるためのトリガーとして、前記ＷｉＦｉ−Ｐ２Ｐ接続に基づいて前記第２電子機器に送信するように構成された送信サブモジュールと、
を含むことを特徴とする請求項９〜１３の何れか１項に記載のスクリーン投影装置。
【請求項１５】
第２電子機器に適用されるスクリーン投影装置であって、
所定タイプの信号をブロードキャストして送信するように構成されたブロードキャストモジュールと、
前記ブロードキャストモジュールがブロードキャストした前記所定タイプの信号とは同タイプの信号を伝送するための所定タイプの接続を、第１電子機器との間で構築するように構成された第１構築モジュールと、
前記第１電子機器から送信された通知を、前記第１構築モジュールが構築した前記所定タイプの接続に基づいて受信した後に、ワイヤレス・ファイデリティ・ピアツーピア（ＷｉＦｉ−Ｐ２Ｐ）接続サービスを起動させるように構成された起動モジュールと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成された第２構築モジュールと、
を含むことを特徴とするスクリーン投影装置。
【請求項１６】
前記ＷｉＦｉ−Ｐ２Ｐ接続に基づき、前記第１電子機器のスクリーン情報のｒｔｓｐ（リアルタイム・ストリーミング・プロトコール）ストリームを取得するための取得要求を、前記第１電子機器に送信するように構成された送信モジュールと、
前記ＷｉＦｉ−Ｐ２Ｐ接続に基づき、前記第１電子機器から送信された、前記第１電子機器が自機器のスクリーン情報を圧縮したｒｔｓｐストリームを受信するように構成された受信モジュールと、
前記ｒｔｓｐストリームに応じたスクリーン情報を前記第２電子機器のスクリーン上に表示するように構成された表示モジュールと、
をさらに含むことを特徴とする請求項１５に記載のスクリーン投影装置。
【請求項１７】
請求項９〜１４の何れか１項に記載のスクリーン投影装置を含む第１電子機器と、
請求項１５または１６に記載のスクリーン投影装置を含む第２電子機器と、
を含むことを特徴とするスクリーン投影システム。
【請求項１８】
第１電子機器に適用されるスクリーン投影装置であって、
プロセッサと、前記プロセッサが実行可能なコマンドを記憶するメモリとを含み、
前記プロセッサは、
所定タイプの信号を受信すると共に、前記所定タイプの信号を送信した第２電子機器との間で、前記所定タイプの信号とは同タイプの信号を伝送するための所定タイプの接続を構築し、
前記所定タイプの接続に基づき、ＷｉＦｉ−Ｐ２Ｐ（ワイヤレス・ファイデリティ・ピアツーピア）接続サービスを起動させるように前記第２電子機器に通知し、
前記第１電子機器が、前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成されている、
スクリーン投影装置。
【請求項１９】
第２電子機器に適用されるスクリーン投影装置であって、
プロセッサと、前記プロセッサが実行可能なコマンドを記憶するメモリとを含み、
前記プロセッサは、
所定タイプの信号をブロードキャストして送信し、
前記所定タイプの信号とは同タイプの信号を伝送するための所定タイプの接続を、第１電子機器との間で構築し、
前記第１電子機器から送信された通知を前記所定タイプの接続に基づいて受信した後に、ＷｉＦｉ−Ｐ２Ｐ（ワイヤレス・ファイデリティ・ピアツーピア）接続サービスを起動させ、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成されている、
スクリーン投影装置。
【請求項２０】
プロセッサに実行されることにより、請求項１から請求項８のいずれかに記載の方法を実現することを特徴とするプログラム。
【請求項２１】
請求項２０に記載のプログラムが記録された記録媒体。 
【手続補正２】
【補正対象書類名】明細書
【補正対象項目名】全文
【補正方法】変更
【補正の内容】
【発明の詳細な説明】
【技術分野】
【０００１】
本願は、出願番号２０１５１００２０８０９．５、出願日２０１５年０１月１５日である中国特許出願に基づいて提出されるものであり、当該中国特許出願の優先権を主張する。ここで、当該中国特許出願の全ての内容は、参考として本願に組み込まれるものとする。
【０００２】
本発明は、スマートホームの分野に関し、特にスクリーン投影方法、装置およびシステム、プログラム及び記録媒体に関する。
【背景技術】
【０００３】
スマートホームによる生活の中において、スマートホームに対し、第１電子機器のスクリーン情報を第２電子機器のスクリーン上に投影するスクリーン投影技術が要求される傾向が強まってきている。
【０００４】
スクリーン投影を行う際、ユーザ操作に基づいて、第１電子機器および第２電子機器にインストールされた特定のアプリケーションを同時に起動する必要がある。そして、特定のアプリケーションが起動した後、第１電子機器および第２電子機器は、各々のワイヤレス・ファイデリティ（Ｗｉｒｅｌｅｓｓ  Ｆｉｄｅｌｉｔｙ；略称：ＷｉＦｉ）・ピアツーピア（Ｐｅｅｒ−ｔｏ−Ｐｅｅｒ；略称：Ｐ２Ｐ）接続サービスを起動させる。第１電子機器は、無線表示アプリケーションに基づいて、ＷｉＦｉ−Ｐ２Ｐ接続サービス起動済みの第２電子機器をスキャンし、スキャンできた各第２電子機器を表示する。そして、表示された第２電子機器のうちの１つをユーザが選択することで、第１電子機器は、ユーザの選択に基づき、第１電子機器と、選択された第２電子機器との間のＷｉＦｉ−Ｐ２Ｐ接続を構築し、ＷｉＦｉ−Ｐ２Ｐ接続が構築された後にスクリーン投影を行う。
【発明の概要】
【発明が解決しようとする課題】
【０００５】
本発明は、関連する技術における課題を解決するために、下記の構成を有するスクリーン投影方法、装置およびシステム、プログラム及び記録媒体を提供する。
【課題を解決するための手段】
【０００６】
本発明の実施例の第１態様によれば、第１電子機器に適用されるスクリーン投影方法であって、
所定タイプの信号を受信すると共に、前記所定タイプの信号を送信した第２電子機器との間で、前記所定タイプの信号とは同タイプの信号を伝送するための所定タイプの接続を構築するステップと、
前記所定タイプの接続に基づき、前記第２電子機器にＷｉＦｉ−Ｐ２Ｐ（ワイヤレス・ファイデリティ・ピアツーピア）接続サービスを起動させるように通知するステップと、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うステップと、を含むスクリーン投影方法を提供する。
【０００７】
本発明の実施例の第２態様によれば、第２電子機器に適用されるスクリーン投影方法であって、
所定タイプの信号をブロードキャストして送信するステップと、
前記所定タイプの信号とは同タイプの信号を伝送するための所定タイプの接続を、第１電子機器との間で構築するステップと、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させるステップと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するステップと、を含むスクリーン投影方法を提供する。
【０００８】
本発明の実施例の第３態様によれば、第１電子機器に適用されるスクリーン投影装置であって、
所定タイプの信号を受信すると共に、前記所定タイプの信号を送信した第２電子機器との間で、前記所定タイプの信号とは同タイプの信号を伝送するための所定タイプの接続を構築するように構成された構築モジュールと、
前記構築モジュールが構築した前記所定タイプの接続に基づき、前記第２電子機器にＷｉＦｉ−Ｐ２Ｐ（ワイヤレス・ファイデリティ・ピアツーピア）接続サービスを起動させるように通知するように構成された通知モジュールと、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成された投影モジュールと、を含むスクリーン投影装置を提供する。
【０００９】
本発明の実施例の第４態様によれば、第２電子機器に適用されるスクリーン投影装置であって、
所定タイプの信号をブロードキャストして送信するように構成されたブロードキャストモジュールと、
前記ブロードキャストモジュールがブロードキャストした前記所定タイプの信号とは同タイプの信号を伝送するための所定タイプの接続を、第１電子機器との間で構築するように構成された第１構築モジュールと、
前記第１電子機器から送信された通知を、前記第１構築モジュールが構築した前記所定タイプの接続に基づいて受信した後に、ワイヤレス・ファイデリティ・ピアツーピア（ＷｉＦｉ−Ｐ２Ｐ）接続サービスを起動させるように構成された起動モジュールと、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成された第２構築モジュールと、を含むスクリーン投影装置を提供する。
【００１０】
本発明の実施例の第５態様によれば、前記第３態様に記載のスクリーン投影装置を含む第１電子機器と、
前記第４態様に記載のスクリーン投影装置を含む第２電子機器と、を含むスクリーン投影システムを提供する。
【００１１】
本発明の実施例の第６態様によれば、第１電子機器に適用されるスクリーン投影装置であって、
プロセッサと、前記プロセッサが実行可能なコマンドを記憶するメモリとを含み、
前記プロセッサは、
所定タイプの信号を受信すると共に、前記所定タイプの信号を送信した第２電子機器との間で、前記所定タイプの信号とは同タイプの信号を伝送するための所定タイプの接続を構築し、
前記所定タイプの接続に基づき、ワイヤレス・ファイデリティ・ピアツーピア（ＷｉＦｉ−Ｐ２Ｐ）接続サービスを起動させるように前記第２電子機器に通知し、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成されている、スクリーン投影装置を提供する。
【００１２】
本発明の実施例の第７態様によれば、第２電子機器に適用されるスクリーン投影装置であって、
プロセッサと、前記プロセッサが実行可能なコマンドを記憶するメモリとを含み、
前記プロセッサは、
所定タイプの信号をブロードキャストして送信し、
前記所定タイプの信号とは同タイプの信号を伝送するための所定タイプの接続を、第１電子機器との間で構築し、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させ、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成されている、スクリーン投影装置を提供する。
【００１３】
本発明のその他の態様は、
プロセッサに実行されることにより、前記方法を実現することを特徴とするプログラムを提供する。
【００１４】
本発明のその他の態様は、
前記プログラムが記録された記録媒体を提供する。
【発明の効果】
【００１５】
本発明の実施例において提供される構成によれば、次の有益な効果を奏する。
【００１６】
すなわち、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術では、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００１７】
なお、以上の基本説明および後述の詳細な説明は、単に例示的なものであり、本発明を限定するものではないと理解されるべきである。
【図面の簡単な説明】
【００１８】
ここでの図面は、明細書に組み込まれて明細書の一部を構成し、本発明に合致する実施例を示すと共に、明細書と併せて本発明の原理の解釈に用いられるものである。
【図１】例示的な実施例に係るスクリーン投影方法に関する実施環境を示す模式図である。
【図２】例示的な一実施例に係るスクリーン投影方法を示すフローチャートである。
【図３】例示的な別の実施例に係るスクリーン投影方法を示すフローチャートである。
【図４Ａ】例示的な更なる別の実施例に係るスクリーン投影方法を示すフローチャートである。
【図４Ｂ】例示的な一実施例に係る第１電子機器と、所定タイプの信号を送信した第２電子機器との間で、所定タイプの接続を構築するときの流れを示すフローチャートである。
【図４Ｃ】例示的な一実施例に係る第１電子機器と、第２電子機器のうち所定条件を満たす第２電子機器との間で、所定タイプの接続を構築するときの流れを示すフローチャートである。
【図４Ｄ】例示的な一実施例に係る第１電子機器と、第２電子機器のうち所定条件を満たす第２電子機器との間で、所定タイプの接続を構築するときの流れを示すフローチャートである。
【図４Ｅ】例示的な一実施例に係る第１電子機器と、第２電子機器のうち所定条件を満たす第２電子機器との間で、所定タイプの接続を構築するときの流れを示すフローチャートである。
【図４Ｆ】例示的な一実施例に係る第１電子機器と、第２電子機器のうち所定条件を満たす第２電子機器との間で、所定タイプの接続を構築するときの流れを示すフローチャートである。
【図４Ｇ】例示的な一実施例に係る第１電子機器が、第２電子機器に対してスクリーン投影を行っているときの流れを示すフローチャートである。
【図４Ｈ】例示的な一実施例に係る第２電子機器のスクリーン上に、第１電子機器のスクリーン情報を同期表示する様子を示す模式図である。
【図４Ｉ】例示的な一実施例に係る異なるタイプの２つの第２電子機器に対し、同時にスクリーン投影を行う様子を示す模式図である。
【図５】例示的な一実施例に係るスクリーン投影装置を示すブロック図である。
【図６】例示的な別の実施例に係るスクリーン投影装置を示すブロック図である。
【図７】例示的な更なる別の実施例に係るスクリーン投影装置を示すブロック図である。
【図８】例示的な更なる別の実施例に係るスクリーン投影装置を示すブロック図である。
【図９】例示的な更なる別の実施例に係るスクリーン投影装置を示すブロック図である。
【発明を実施するための形態】
【００１９】
図面に示された例示的な実施例を詳細に説明する。なお、以下の記載において、図面を言及するとき、特に説明しない限り、異なる図面における同一番号は同一または同等の要素を示す。また、以下の例示的な実施例に記載される実施形態は、本発明に一致する全ての実施形態を代表するものではない。逆に、これら例示的な一実施例は、添付された特許請求の範囲に詳細に記載される、本発明の一部の局面に一致する装置及び方法の例にすぎない。
【００２０】
図１は、例示的な一部の実施例に係るスクリーン投影方法に関する実施環境を示す模式図である。図１に示すように、当該実施環境に第１電子機器１２０および第２電子機器１４０が含まれてもよい。
【００２１】
第２電子機器１４０は、スクリーン表示機能を有する電子機器であり、例えばブルートゥース（Ｂｌｕｅｔｏｏｔｈ）信号、近距離無線通信（Ｎｅａｒ  Ｆｉｅｌｄ  Ｃｏｍｍｕｎｉｃａｔｉｏｎ；略称ＮＦＣ）信号など、所定タイプの信号をブロードキャストすることができる。一般的に、第２電子機器１４０内には、例えばブルートゥースチップまたはＮＦＣチップなど、所定タイプの信号をブロードキャストするためのハードウェアデバイスが設けられている。
【００２２】
第１電子機器１２０は、スクリーン表示機能を有する電子機器であり、第２電子機器１４０がブロードキャストした所定タイプの信号を受信すると共に、所定タイプの信号を識別することができる。これに対応するように、第１電子機器１２０内には、所定タイプの信号を受信するための受信アンテナが設けられている。
【００２３】
上記第１電子機器１２０および第２電子機器１４０は、同様のタイプのものであってもよく、異なるタイプのものであってもよい。第１電子機器１２０および第２電子機器１４０は、両方がスマートフォン、タブレットＰＣ、スマートテレビ、電子ブックリーダー、マルチメディアプレイヤ、ラップトップコンピュータ、およびデスクトップなどであってもよい。
【００２４】
選択可能な態様として、第１電子機器１２０のスクリーンのサイズが第２電子機器１４０のスクリーンのサイズよりも小さい。
【００２５】
また、選択可能な態様として、第１電子機器１２０のスクリーンの解像度が第２電子機器１４０のスクリーンの解像度よりも低い。
【００２６】
図２は、例示的な一実施例に係るスクリーン投影方法を示すフローチャートである。図２に示すように、該スクリーン投影方法は、図１に示す実施環境における第１電子機器１２０に適用され、次のステップを含む。
【００２７】
ステップ２０１において、所定タイプの信号を受信すると共に、所定タイプの信号を送信した第２電子機器との間で、所定タイプの信号とは同タイプの信号を伝送するための所定タイプの接続を構築する。
【００２８】
通常、所定タイプの信号は、他の機器がブロードキャストして送信するものであり、第１電子機器は、他の機器がブロードキャストして送信した所定タイプの信号を受信することができる。
【００２９】
ステップ２０２において、所定タイプの接続に基づき、ワイヤレス・ファイデリティ・ピアツーピア（ＷｉＦｉ−Ｐ２Ｐ）接続サービスを起動させるように第２電子機器に通知する。
【００３０】
ステップ２０３において、第１電子機器がＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行う。
【００３１】
上述したように、本発明の実施例において提供されるスクリーン投影方法は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００３２】
図３は、例示的な一実施例に係るスクリーン投影方法を示すフローチャートである。図３に示すように、該スクリーン投影方法は、図１に示す実施環境における第２電子機器１４０に適用され、次のステップを含む。
【００３３】
ステップ３０１において、所定タイプの信号をブロードキャストして送信する。
【００３４】
ステップ３０２において、第１電子機器との間で、所定タイプの信号とは同タイプの信号を伝送するための所定タイプの接続を構築する。
【００３５】
ステップ３０３において、第１電子機器から送信された通知を所定タイプの接続に基づいて受信した後に、ワイヤレス・ファイデリティ・ピアツーピア（ＷｉＦｉ−Ｐ２Ｐ）接続サービスを起動させる。
【００３６】
ステップ３０４において、ＷｉＦｉ−Ｐ２Ｐ接続サービス起動済みの第１電子機器との間で、第１電子機器から第２電子機器へのスクリーン投影を実現するためのＷｉＦｉ−Ｐ２Ｐ接続を構築する。
【００３７】
上述したように、本発明の実施例において提供されるスクリーン投影方法は、所定タイプの信号を、第１電子機器に受信されるようにブロードキャストし、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。第２電子機器は、所定タイプの信号をブロードキャストして送信することができるため、特定のアプリケーションをインストールしておく必要がなく、手間のかかるユーザ操作も必要がない。したがって、従来の関連技術において、第１電子機器および第２機器に特定のアプリケーションをインストールしておく必要があり、且つ、該アプリケーションを同時に起動させてから、ユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００３８】
図４Ａは、例示的な更なる実施例示に係るスクリーン投影方法を示すフローチャートである。図４Ａに示すように、該スクリーン投影方法は、図１に示す実施環境に適用され、次のステップを含む。
【００３９】
ステップ４０１において、第２電子機器がブロードキャストで所定タイプの信号を送信する。
【００４０】
なお、所定タイプの信号は、ブルートゥース信号、近距離無線通信（ＮＦＣ）信号、またはワイヤレス・ファイデリティ（ＷｉＦｉ）・フレームなどである。
【００４１】
実際の応用において、第２電子機器は、通常、デフォルト形式として所定タイプの信号をブロードキャストすることができる。つまり、所定タイプの信号をブロードキャストして送信するための特定のアプリケーションを第２電子機器にインストールしておく必要がない。なぜなら、現在の電子機器、例えばスマートフォン、スマートテレビや他のスマートホーム電子機器のいずれも、ユーザの手動での起動を必要としないブルートゥースやＮＦＣ通信機能を備えているためである。第２電子機器は、ブルートゥースやＮＦＣなどの通信機能を備えている場合には、デフォルト形式として、ブルートゥース信号やＮＦＣ信号を継続的にブロードキャストしてもよい。
【００４２】
ステップ４０２において、第１電子機器が、所定タイプの信号を受信すると共に、所定タイプの信号を送信した第２電子機器との間で、所定タイプの接続を構築する。
【００４３】
第１電子機器は、第２電子機器との距離が所定範囲内であれば、第２電子機器が送信した所定タイプの信号を受信することができる。一般的に、第２電子機器が所定タイプの信号をブロードキャストする際、所定タイプの信号の伝播可能距離は、通常、該所定タイプの信号に対応するプロトコールの規定に制限される。例えば、ブルートゥース信号の伝播距離は、通常なら１０メートル以内であり、ＮＦＣ信号の伝播距離は１０センチ以内である。したがって、第１電子機器は、第２電子機器との所定範囲内の距離でしか、第２電子機器からブロードキャストして送信される所定タイプの信号を受信することができない。換言すれば、第１電子機器は、第１電子機器との所定範囲内の距離の第２電子機器から送信される所定タイプの信号しか受信できない。
【００４４】
第１電子機器は、所定タイプの信号を受信すると、該所定タイプの信号を送信した第２電子機器との間で、所定タイプの接続を構築してもよい。ここで言う所定タイプの接続は、所定タイプの信号とは同タイプの信号を伝送するためのものであってもよい。例えば、所定タイプの信号がブルートゥース信号である場合、所定タイプの接続はブルートゥース接続であってもよい。すなわち、所定タイプの信号は、ブルートゥース信号を伝送するためのものであってもよい。
【００４５】
ステップ４０３において、第１電子機器が、所定タイプの接続に基づき、ワイヤレス・ファイデリティ・ピアツーピア（ＷｉＦｉ−Ｐ２Ｐ）接続サービスを起動させるように第２電子機器に通知する。
【００４６】
所定タイプの接続の構築が成功すると、第１電子機器は、該所定タイプの接続に基づき、ワイヤレス・ファイデリティ・ピアツーピア（ＷｉＦｉ−Ｐ２Ｐ）接続サービスを起動させるように第２電子機器に通知する。例えば、第１電子機器は、該所定タイプの接続に基づき、所定タイプの信号とは同タイプの通知メッセージを第２電子機器に送信する。なお、該通知メッセージは、第２電子機器のＷｉＦｉ−Ｐ２Ｐ接続サービスを起動させるように第２電子機器に通知するためのものである。
【００４７】
例を挙げて説明すると、ブルートゥース接続を構築できた後に、構築されたブルートゥース接続に基づき、ＷｉＦｉ−Ｐ２Ｐ接続サービスを起動させるように第２電子機器に通知するためのブルートゥース信号を、第２電子機器に送信してもよい。さらに別の例を挙げて説明すると、ＮＦＣ接続を構築できた後に、構築されたＮＦＣ接続に基づき、ＷｉＦｉ−Ｐ２Ｐ接続サービスを起動させるように第２電子機器に通知するためのＮＦＣ信号を、第２電子機器に送信してもよい。
【００４８】
通常、ＷｉＦｉ−Ｐ２Ｐ接続サービスは、デフォルト形式として起動するものではない。ＷｉＦｉ−Ｐ２Ｐ接続に基づくスクリーン投影の実現時にスクリーン投影のスムーズ性を確保しつつ、ブロードバンドの占用を減らすためには、通常、スクリーン投影を行う第１電子機器および第２電子機器のＷｉＦｉ−Ｐ２Ｐ接続サービスを先に起動させる必要がある。一方、本実施例において、第１電子機器は、構築された所定タイプの接続を用いて、第２電子機器のＷｉＦｉ−Ｐ２Ｐ接続サービスを起動させるように、第２電子機器に自発的に通知する。
【００４９】
ステップ４０４において、第２電子機器が、第１電子機器から送信された通知を所定タイプの接続に基づいて受信した後に、ワイヤレス・ファイデリティ・ピアツーピア（ＷｉＦｉ−Ｐ２Ｐ）接続サービスを起動させる。
【００５０】
第２電子機器は、第１電子機器から送信された通知を所定タイプの接続に基づいて受信すると、ＷｉＦｉ−Ｐ２Ｐ接続サービスを起動させる。したがって、第２電子機器は、ＷｉＦｉ−Ｐ２Ｐ接続サービスを起動させるアプリケーションを設定することなく、構築された所定タイプの接続に基づいて、第１電子機器によるトリガーに応じてＷｉＦｉ−Ｐ２Ｐ接続サービスを起動させるだけで済む。また、ユーザが第２電子機器において何ら操作を行う必要がないため、ＷｉＦｉ−Ｐ２Ｐ接続を起動させる操作手順が簡略化される。
【００５１】
ステップ４０５において、第１電子機器が、ＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行う。
【００５２】
第１電子機器は、構築された所定タイプの接続に基づいて、ＷｉＦｉ−Ｐ２Ｐ接続サービスを起動させるように第２電子機器に通知した後、第１電子機器と第２電子機器との間のＷｉＦｉ−Ｐ２Ｐ接続を構築できるように、自機器のＷｉＦｉ−Ｐ２Ｐ接続サービスをも自動的に起動させる。第１電子機器および第２電子機器の両方がＷｉＦｉ−Ｐ２Ｐ接続サービスを起動させた後に、第１電子機器と第２電子機器との間のＷｉＦｉ−Ｐ２Ｐ接続を構築してもよい。
【００５３】
このようにすることで、第１電子機器は、構築されたＷｉＦｉ−Ｐ２Ｐ接続に基づき、第２電子機器に対してスクリーン投影を行うことができる。
【００５４】
上述したように、本発明の実施例において提供されるスクリーン投影方法は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【００５５】
なお、上記ステップ４０２、ステップ４０３およびステップ４０５は、第１電子機器を実行主体とするスクリーン投影方法として、単独で実施されてもよい。また、上記ステップ４０１およびステップ４０４は、第２電子機器を実行主体とするスクリーン投影方法として、単独で実施されてもよい。
【００５６】
選択可能な態様として、第１電子機器が受信した所定タイプの信号が、２個以上の第２電子機器から送信されたものである可能性があるため、通常、実際の応用場面においては、これら第２電子機器のうちの１つを選択してスクリーン投影を行ってもよい。すなわち、図４Ａのステップ４０２において、図４Ｂに示すように、第１電子機器が、所定タイプの信号を受信すると共に、該所定タイプの信号を送信した第２電子機器との間で所定タイプの接続を構築する。図４Ｂは、例示的な一実施例に係る第１電子機器と、所定タイプの信号を送信した第２電子機器との間で、所定タイプの接続を構築するときの流れを示すフローチャートである。第１電子機器と該所定タイプの信号を送信した第２電子機器との間で、所定タイプの接続を構築する処理は、図４Ｂに示す次のステップを含んでもよい。
【００５７】
ステップ４０２ａにおいて、第１電子機器が、各所定タイプの信号を解析し、所定タイプの信号をブロードキャストして送信した少なくとも１つの第２電子機器を取得する。
【００５８】
第１電子機器が受信した所定タイプの信号は、複数の第２電子機器からブロードキャストして送信されたものである可能性がある。したがって、これら所定タイプの信号を送信した第２電子機器を取得するために、受信した所定タイプの信号を解析し、所定タイプの信号に組み込まれた送信元の識別子フィールドに基づいて、所定タイプの信号を送信した少なくとも１つの第２電子機器を特定してもよい。
【００５９】
ステップ４０２ｂにおいて、第１電子機器が、第２電子機器のうち所定条件を満たす第２電子機器との間で、所定タイプの接続を構築する。
【００６０】
なお、所定タイプの信号がブルートゥース信号、または近距離無線通信（ＮＦＣ）信号である場合には、ここで言う所定条件を満たす第２電子機器とは、取得された各第２電子機器のうち、第１電子機器に最も近い第２電子機器であってもよく、または、取得された各第２電子機器の中からユーザが選択した第２電子機器であってもよい。
【００６１】
また、所定タイプの信号がワイヤレス・ファイデリティ（ＷｉＦｉ）・フレームである場合には、ここで言う所定条件を満たす第２電子機器とは、取得された各第２電子機器のうち、第１電子機器とは同一ＬＡＮ内に含まれ、且つ第１電子機器に最も近い第２電子機器であってもよく、または、取得された第１電子機器とは同一ＬＡＮ内に含まれる各第２電子機器の中からユーザが選択した第２電子機器であってもよい。
【００６２】
所定タイプの信号に基づいて、第１電子機器と、第２電子機器のうち所定条件を満たす第２電子機器との間で所定タイプの接続を構築する処理は、具体的には、次の４つの態様に分類される。
【００６３】
第１態様としては、所定タイプの信号がブルートゥース信号または近距離無線通信（ＮＦＣ）信号である場合に、第１電子機器に最も近い第２電子機器との間で所定タイプの接続を構築する。この場合、図４Ｃに示す次のステップを含む。
【００６４】
ステップ４０２ｂ１において、第１電子機器が各所定タイプの信号に基づいて、第１電子機器に最も近い第２電子機器を特定する。
【００６５】
ステップ４０２ｂ２において、第１電子機器が、特定した第２電子機器との間で所定タイプの接続を構築する。
【００６６】
第１電子機器が各所定タイプの信号に基づき、第１電子機器に最も近い第２電子機器を特定する処理には、（１）所定タイプの信号から、各所定タイプの信号の信号強度、および、所定タイプの信号を送信した放射周波数を取得する第１ステップと、（２）取得された、各所定タイプの信号の対応信号強度および対応放射周波数の前者または両者に基づき、第１電子機器に最も近い第２電子機器を特定する第２ステップが、含まれてもよい。
【００６７】
一般的には、第２電子機器が第１電子機器に近いほど、第１電子機器が受信する、第２電子機器からブロードキャストされる所定タイプの信号の信号強度が強くなる。したがって、所定タイプの信号の信号強度に基づいて、第１電子機器に最も近い第２電子機器を特定することができる。
【００６８】
選択可能な態様として、各第２電子機器が所定タイプの信号をブロードキャストする際の放射周波数は異っており、該放射周波数は、第１電子機器が所定タイプの信号を受信する信号強度に影響を及ぼす。これにより、所定タイプの信号が対応する信号強度および放射周波数に応じて、第１電子機器に最も近い第２電子機器を特定することができる。
【００６９】
第２態様としては、所定タイプの信号がブルートゥース信号または近距離無線通信（ＮＦＣ）信号である場合に、ユーザが選択した第２電子機器との間で所定タイプの接続を構築する。この場合、図４Ｄに示す次のステップを含む。
【００７０】
ステップ４０２ｂ３において、第１電子機器が、取得した第２電子機器を表示する。
【００７１】
ステップ４０２ｂ４において、第１電子機器が、表示された第２電子機器を選択する選択指示を受付けると共に、当該選択指示が示した第２電子機器との間で所定タイプの接続を構築する。
【００７２】
第１電子機器は、取得した第２電子機器を表示する。取得された第２電子機器は、１台、２台、または２台以上であってもよい。
【００７３】
ユーザは、第１電子機器上に表示された第２電子機器を選択することができる。また、これに対応するように、第１電子機器は、表示された第２電子機器を選択する対応の選択指示を受付けることにより、当該選択指示が示した（選択した）第２電子機器を特定し、特定した第２電子機器との間で所定タイプの接続を構築する。
【００７４】
第３態様としては、所定タイプの信号がワイヤレス・ファイデリティ（ＷｉＦｉ）・フレームである場合に、第２電子機器のうち所定条件を満たす第２電子機器との間で、所定タイプの接続を構築する。この場合、図４Ｅに示す次のステップを含む。
【００７５】
ステップ４０２ｂ５において、第１電子機器が、各所定タイプの信号に基づき、第１電子機器とは同一ＬＡＮ内に含まれ且つ第１電子機器に最も近い第２電子機器を、特定する。
【００７６】
ステップ４０２ｂ６において、第１電子機器が、特定した第２電子機器との間で所定タイプの接続を構築する。
【００７７】
所定タイプの信号がＷｉＦｉフレームである場合において構築できる所定タイプの接続は、第１電子機器および第２電子機器が同一ＬＡＮ内に含まれることが要求される。したがって、所定タイプの接続を構築可能にするためには、第１電子機器は、特定された各第２電子機器のうち、第１電子機器とは同一ＬＡＮ内に含まれる第２電子機器を選別する必要がある。
【００７８】
実際の応用として、第１電子機器は、所定タイプの信号に含まれたフィールドを解析し、第２電子機器の所属ＬＡＮを表すネットワーク識別子を得てもよい。そして、第１電子機器は、第１電子機器のネットワーク識別子に基づき、第１電子機器とは同様のネットワーク識別子を持つ第２電子機器を取得する。
【００７９】
さらに、第１電子機器は、選別した第２電子機器のうち、第１電子機器に最も近い第２電子機器を特定する。第１電子機器が、第１電子機器に最も近い第２電子機器を特定する処理は、（１）所定タイプの信号から、各所定タイプの信号の信号強度、および、所定タイプの信号を送信した放射周波数を取得する第１ステップと、（２）取得された、各所定タイプの信号の対応信号強度および対応放射周波数の前者または両者に基づき、第１電子機器に最も近い第２電子機器を特定する第２ステップと、含んでもよい。
【００８０】
第４態様としては、所定タイプの信号がワイヤレス・ファイデリティ（ＷｉＦｉ）・フレームである場合に、第２電子機器のうち所定条件を満たす第２電子機器との間で、所定タイプの接続を構築する。この場合、図４Ｆに示す次のステップを含む。
【００８１】
ステップ４０２ｂ７において、取得された、第１電子機器とは同一ＬＡＮ内に含まれる第２電子機器を、第１電子機器が表示する。
【００８２】
ステップ４０２ｂ８において、第１電子機器が、表示された第２電子機器を選択する選択指示を受付けると共に、当該選択指示が示した第２電子機器との間で所定タイプの接続を構築する。
【００８３】
所定タイプの信号がワイヤレス・ファイデリティ（ＷｉＦｉ）・フレームである場合、上述と類似的に、第１電子機器は、所定タイプの接続を構築するために、特定された各第２電子機器のうち、第１電子機器とは同一ＬＡＮ内に含まれる第２電子機器を選別し、選別した当該第２電子機器を表示する必要がある。
【００８４】
なお、ユーザの実際使用にさらに適合させるために、第２電子機器を選択するための選択インタフェースをユーザに提供してもよく、または、各第２電子機器の一覧リストを表示してもよい。ユーザは、これら第２電子機器のうち、投影される予定の第２電子機器を選択する。また、これに対応するように、第１電子機器は、表示された第２電子機器を選択する選択指示を受付けることにより、当該選択指示が示した第２電子機器を特定し、特定した第２電子機器との間で所定タイプの接続を構築する。
【００８５】
上述したように、本発明の実施例において提供されるスクリーン投影方法は、所定条件を満たす１つの第２電子機器を選択すると共に、該第２電子機器との間で所定タイプの接続を構築し、構築された所定タイプの接続をトリガーとして、第２電子機器に対しＷｉＦｉ−Ｐ２Ｐ接続サービスを起動させてＷｉＦｉ−Ｐ２Ｐ接続を構築し、スクリーン投影を実現する。中でも、所定条件を満たす１つの第２電子機器との間でＷｉＦｉ−Ｐ２Ｐ接続を構築することができるため、所定条件を満たした第２電子機器のみに第１電子機器のスクリーン情報が表示されることが確保され、実際の応用場面にさらに適合される。
【００８６】
選択可能な態様として、図４Ａのステップ４０５において、第１電子機器が第２電子機器対してスクリーン投影を行う処理は、図４Ｇに示す次のステップを含んでもよい。
【００８７】
ステップ４０５ａにおいて、第１電子機器が、第１電子機器のスクリーン情報を圧縮し、リアルタイム・ストリーミング・プロトコール（ｒｔｓｐ）ストリームを生成する。
【００８８】
スクリーン投影に関するプロトコールによれば、第１電子機器におけるスクリーン情報を高速に第２電子機器に投影するためには、第１電子機器が、第１電子機器のスクリーン上に表示されたスクリーン情報を圧縮し、ｒｔｓｐストリームを生成する必要がある。また、後に続くスクリーン投影においても、第１電子機器のスクリーン上に新たに表示されたスクリーン情報を継続的に圧縮し、ｒｔｓｐストリームを生成する。
【００８９】
ステップ４０５ｂにおいて、第２電子機器がＷｉＦｉ−Ｐ２Ｐ接続に基づき、第１電子機器のスクリーン情報のリアルタイム・ストリーミング・プロトコール（ｒｔｓｐ）ストリームを取得するための取得要求を、第１電子機器に送信する。
【００９０】
実際の応用として、第２電子機器は、第１電子機器との間でＷｉＦｉ−Ｐ２Ｐ接続を構築した後、第１電子機器のスクリーン上のスクリーン情報を表示する必要がある場合には、ｒｔｓｐストリームを取得する取得要求を、構築されたＷｉＦｉ−Ｐ２Ｐ接続に基づいて第１電子機器に送信してもよい。
【００９１】
選択可能な態様として、第１電子機器は、第２電子機器との間でＷｉＦｉ−Ｐ２Ｐ接続を構築した後に、圧縮生成されたｒｔｓｐストリームを直接に第２電子機器にプッシュしてもよい。
【００９２】
ステップ４０５ｃにおいて、第２電子機器がＷｉＦｉ−Ｐ２Ｐ接続に基づいて送信した、ｒｔｓｐストリームを取得するための取得請求を、第１電子機器が受信する。
【００９３】
ステップ４０５ｄにおいて、第１電子機器がＷｉＦｉ−Ｐ２Ｐ接続に基づき、ｒｔｓｐストリームを第２電子機器に送信する。
【００９４】
なお、ｒｔｓｐストリームは、ｒｔｓｐストリームに応じたスクリーン情報を、第２電子機器に対して該第２電子機器のスクリーン上に表示させるトリガーでもある。
【００９５】
ステップ４０５ｅにおいて、第２電子機器がＷｉＦｉ−Ｐ２Ｐ接続に基づき、第１電子機器から送信されたｒｔｓｐストリームを受信する。
【００９６】
ステップ４０５ｆにおいて、第２電子機器が、ｒｔｓｐストリームに応じたスクリーン情報を該第２電子機器のスクリーン上に表示する。
【００９７】
通常、後列スクリーン投影中は、ＷｉＦｉ−Ｐ２Ｐ接続が切断（中断）されなければ、最新に生成されたｒｔｓｐストリームをリアルタイムで第１電子機器から第２電子機器に送信することにより、第１電子機器のスクリーン情報を第２電子機器上に同期表示することができる。
【００９８】
図４Ｈを参照する。図４Ｈは、例示的な一実施例に係る第２電子機器のスクリーン上に、第１電子機器のスクリーン情報を同期表示する様子を示す模式図である。なお、図４Ｈにおいて、第２電子機器のスクリーン１４０上に表示されるスクリーン情報と、第１電子機器１２０のスクリーン上に表示されるスクリーン情報とは同様である。
【００９９】
選択可能な態様として、第２電子機器は、第１電子機器のスクリーン情報を継続的に表示する必要がない場合には、第１電子機器が送信したｒｔｓｐストリームをそのまま破棄してもよく、または、投影中止要求を第１電子機器に送信してもよい。この投影中止要求は、トリガーとして、第１電子機器によるスクリーン情報の圧縮、および、第２電子機器に対するｒｔｓｐストリームの送信を第１電子機器に中止させるものであり、または、第１電子機器との間のＷｉＦｉ−Ｐ２Ｐ接続を中止させるものである。
【０１００】
上述したように、本発明の実施例において提供されるスクリーン投影方法は、第１電子機器上のスクリーン情報を圧縮してｒｔｓｐストリームを生成し、第２電子機器からのアクセスがあったときにｒｔｓｐストリームを第２電子機器に送信することにより、ｒｔｓｐストリームに応じた第１電子機器のスクリーン情報を第２電子機器上に表示させる。これにより、第１電子機器のスクリーン情報を第２電子機器のスクリーン上に投影するスクリーン投影プロセスを実現し、ユーザが第１電子機器のスクリーン上の内容を第２電子機器で観るという実際の需要を満たしている。
【０１０１】
なお、上記ステップ４０５ａをステップ４０５ｃの後に実行してもよい。本実施例において、ステップ４０５ａおよびステップ４０５ｃの手順は限定されない。また、上記ステップ４０５ａ、ステップ４０５ｃおよびステップ４０５ｄは、第１電子機器を実行主体とするスクリーン投影方法として、それぞれ単独で実施されてもよい。上記ステップ４０５ｂ、ステップ４０５ｅおよびステップ４０５ｆは、第２電子機器を実行主体とするスクリーン投影方法として、それぞれ単独で実施されてもよい。
【０１０２】
選択可能な態様として、第１電子機器は、スクリーン情報を少なくとも２つの第２電子機器に同時に投影してもよい。また、所定条件を満たす第２電子機器は、第１電子機器が特定した各第２電子機器、または第１電子機器が特定した指定タイプの第２電子機器、または第１電子機器が特定した最も第１電子機器に近い指定個数の第２電子機器であってもよい。
【０１０３】
例えば、第１電子機器は、特定した各第２電子機器に対してスクリーン投影を行ってもよい。さらに、例えば、第１電子機器は、指定タイプが携帯電話である第２電子機器に対してスクリーン投影を行ってもよく、または、指定タイプが携帯電話である第２電子機器および指定タイプがスマートテレビである第２電子機器に対してスクリーン投影を行ってもよい。さらに、例えば、第１電子機器は、第１電子機器に近接する３つの第２電子機器に対してスクリーン投影を行ってもよい。
【０１０４】
実際の応用場面として、例えば或るユーザが所持の携帯電話（すなわち第１電子機器）のスクリーン情報を複数の来客に同期して共有したいときには、該ユーザが所持する携帯電話のスクリーン情報をリビングのテレビ（すなわち第２電子機器）上に投影すれば、他の来客がリビングのテレビを介して第１電子機器のスクリーン情報を取得することができ、情報の同期が確保され、情報共有が実現される。また、選択的な態様として、該ユーザが所持の携帯電話と書斎に居るユーザとの同期を行いたいときには、当該携帯電話のスクリーン情報を、書斎に居るユーザの携帯電話に投影してもよい。これにより、室内の各機器間の情報同期や共有が確保され、ユーザ体験が向上する。
【０１０５】
図４Ｉを参照する。図４Ｉは、例示的な一実施例に係る異なるタイプの２つの第２電子機器に対し、同時にスクリーン投影を行う様子を示す模式図である。第１電子機器１２０は、スクリーン情報を、タイプがスマートテレビである第２電子機器１４０、およびタイプがスマートフォンである第２電子機器１４０のスクリーン上に同時にスクリーン投影する。
【０１０６】
以下は、本発明に係る装置の実施例を説明する。該装置の実施例において、本発明に係る方法の実施例を実行することができる。なお、本発明に係る装置の実施例において記載されていない細部内容に関しては、本発明に係る方法の実施例を参照すればよい。
【０１０７】
図５は、例示的な一実施例に係るスクリーン投影装置を示すブロック図である。図５に示すように、該スクリーン投影装置は、図１に示す実施環境における第１電子機器１２０に適用されるものである。なお、該スクリーン投影装置は、ハードウェア、ソフトウェア、または両者の組み合わせにより、第１電子機器の一部として実現されうる。また、該スクリーン投影装置には、構築モジュール５０２、通知モジュール５０４および投影モジュール５０６が含まれるが、これに限定されない。
【０１０８】
構築モジュール５０２は、所定タイプの信号を受信すると共に、所定タイプの信号を送信した第２電子機器との間で、所定タイプの信号とは同タイプの信号を伝送するための所定タイプの接続を構築するように構成されている。
【０１０９】
通知モジュール５０４は、構築モジュール５０２が構築した所定タイプの接続に基づき、ワイヤレス・ファイデリティ・ピアツーピア（ＷｉＦｉ−Ｐ２Ｐ）接続サービスを起動させるように第２電子機器に通知するように構成されている。
【０１１０】
投影モジュール５０６は、第１電子機器がＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行うように構成されている。
【０１１１】
上述したように、本発明の実施例において提供されるスクリーン投影装置は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１１２】
図６は、例示的な別の実施例に係るスクリーン投影装置を示すブロック図である。図６に示すように、該スクリーン投影装置は、図１に示す実施環境における第１電子機器１２０に適用されるものである。なお、該スクリーン投影装置は、ハードウェア、ソフトウェア、または両者の組み合わせにより第１電子機器の一部として実現されうる。また、該スクリーン投影装置には、構築モジュール６０２、通知モジュール６０４および投影モジュール６０６が含まれるが、これに限定されない。
【０１１３】
構築モジュール６０２は、所定タイプの信号を受信すると共に、所定タイプの信号を送信した第２電子機器との間で、所定タイプの信号とは同タイプの信号を伝送するための所定タイプの接続を構築するように構成されている。
【０１１４】
通知モジュール６０４は、構築モジュール６０２が構築した所定タイプの接続に基づき、ワイヤレス・ファイデリティ・ピアツーピア（ＷｉＦｉ−Ｐ２Ｐ）接続サービスを起動させるように第２電子機器に通知するように構成されている。
【０１１５】
投影モジュール６０６は、第１電子機器がＷｉＦｉ−Ｐ２Ｐ接続サービスを起動させた後に、ＷｉＦｉ−Ｐ２Ｐ接続サービス起動済みの第２電子機器との間でＷｉＦｉ−Ｐ２Ｐ接続を構築し、第２電子機器に対してスクリーン投影を行うように構成されている。
【０１１６】
実現可能な一形態として、構築モジュール６０２は、第１取得サブモジュール６０２ａおよび第１構築サブモジュール６０２ｂを含む。
【０１１７】
第１取得サブモジュール６０２ａは、各所定タイプの信号を解析し、所定タイプの信号をブロードキャストして送信した少なくとも１つの第２電子機器を取得するように構成されている。
【０１１８】
第１構築サブモジュール６０２ｂは、第１取得サブモジュール６０２ａが取得した第２電子機器のうち所定条件を満たす第２電子機器との間で、所定タイプの接続を構築するように構成されている。
【０１１９】
実現可能な一形態として、所定タイプの信号はブルートゥース信号または近距離無線通信（ＮＦＣ）信号であり、第１構築サブモジュール６０２ｂは、
各所定タイプの信号に基づき、第１電子機器に最も近い第２電子機器を特定し、特定した第２電子機器との間で所定タイプの接続を構築するように構成された第２構築サブモジュール６０２ｂ１、または、
第１取得サブモジュール６０２ａが取得した第２電子機器を表示し、表示された第２電子機器を選択する選択指示を受付けると共に、当該選択指示が示した第２電子機器との間で所定タイプの接続を構築するように構成された第３構築サブモジュール６０２ｂ２を、含む。
【０１２０】
実現可能な一形態として、第２構築サブモジュール６０２ｂ１は、
所定タイプの信号から、各所定タイプの信号の信号強度、および、所定タイプの信号を送信した放射周波数を取得するように構成された第２取得サブモジュール６０２ｂ１１と、
第２取得サブモジュール６０２ｂ１１が取得した、各所定タイプの信号の対応信号強度および対応放射周波数の前者または両者に基づき、第１電子機器に最も近い第２電子機器を特定するように構成された特定サブモジュール６０２ｂ１２と、を含む。
【０１２１】
実現可能な一形態として、所定タイプの信号がワイヤレス・ファイデリティ（ＷｉＦｉ）・フレームである場合には、第１構築サブモジュール６０２ｂは、
各所定タイプの信号に基づき、第１電子機器とは同一ＬＡＮ内に含まれ且つ第１電子機器に最も近い第２電子機器を特定し、特定した第２電子機器との間で所定タイプの接続を構築するように構成された第４構築サブモジュール６０２ｂ３、または、
第１取得サブモジュール６０２ａが取得した、第１電子機器とは同一ＬＡＮ内に含まれる第２電子機器を表示し、表示された第２電子機器を選択する選択指示を受付けると共に、当該選択指示が示した第２電子機器との間で所定タイプの接続を構築するように構成された第５構築サブモジュール６０２ｂ４、を含む。
【０１２２】
実現可能な一形態として、投影モジュール６０６は、生成サブモジュール６０６ａ、受信サブモジュール６０６ｂおよび送信サブモジュール６０６ｃを含んでもよい。
【０１２３】
生成サブモジュール６０６ａは、第１電子機器のスクリーン情報を圧縮し、リアルタイム・ストリーミング・プロトコール（ｒｔｓｐ）ストリームを生成するように構成されている。
【０１２４】
受信サブモジュール６０６ｂは、第２電子機器がＷｉＦｉ−Ｐ２Ｐ接続に基づいて送信した、ｒｔｓｐストリームを取得するための取得要求を受信するように構成されている。
【０１２５】
送信サブモジュール６０６ｃは、生成サブモジュールが生成したｒｔｓｐストリームを、該ｒｔｓｐストリームに応じたスクリーン情報を第２電子機器に対して該第２電子機器のスクリーン上に表示させるためのトリガーとして、ＷｉＦｉ−Ｐ２Ｐ接続に基づいて第２電子機器に送信するように構成されている。
【０１２６】
上述したように、本発明の実施例において提供されるスクリーン投影装置は、受信したブロードキャスト信号に基づき、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。受信された所定タイプの信号は、第２電子機器がデフォルト形式としてブロードキャストして送信したものである。そのため、第１電子機器および第２電子機器に特定のアプリケーションをインストールしておく必要がなく、ユーザが手動操作でＷｉＦｉ−Ｐ２Ｐ接続を構築する必要もない。したがって、従来の関連技術において、第１電子機器および第２機器に特定のアプリケーションをインストールしておく必要があり、且つ、ユーザ操作により特定のアプリケーションを同時に起動させてから、更なるユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１２７】
本発明の実施例において提供されるスクリーン投影装置は、所定条件を満たす１つの第２電子機器を選択すると共に、該第２電子機器との間で所定タイプの接続を構築し、構築された所定タイプの接続をトリガーとして、第２電子機器に対しＷｉＦｉ−Ｐ２Ｐ接続サービスを起動させてＷｉＦｉ−Ｐ２Ｐ接続を構築し、スクリーン投影を実現する。中でも、所定条件を満たす１つの第２電子機器との間でＷｉＦｉ−Ｐ２Ｐ接続を構築することができるため、所定条件を満たした第２電子機器のみに第１電子機器のスクリーン情報が表示されることが確保され、実際の応用場面にさらに適合される。
【０１２８】
本発明の実施例において提供されるスクリーン投影装置は、第１電子機器上のスクリーン情報を圧縮してｒｔｓｐストリームを生成し、第２電子機器からのアクセスがあったときにｒｔｓｐストリームを第２電子機器に送信することにより、ｒｔｓｐストリームに応じた第１電子機器のスクリーン情報を第２電子機器上に表示させる。これにより、第１電子機器のスクリーン情報を第２電子機器のスクリーン上に投影するスクリーン投影プロセスを実現し、ユーザが第１電子機器のスクリーン上の内容を第２電子機器で観るという実際の需要を満たしている。
【０１２９】
図７は、例示的な更なる別の実施例に係るスクリーン投影装置を示すブロック図である。図７に示すように、該スクリーン投影装置は、図１に示す実施環境における第２電子機器１４０に適用されるものである。なお、該スクリーン投影装置は、ハードウェア、ソフトウェア、または両者の組み合わせにより第１電子機器の一部として実現されうる。また、該スクリーン投影装置には、ブロードキャストモジュール７０２、第１構築モジュール７０４、起動モジュール７０６および第２構築モジュール７０８が含まれるが、これに限定されない。
【０１３０】
ブロードキャストモジュール７０２は、所定タイプの信号をブロードキャストして送信するように構成されている。
【０１３１】
第１構築モジュール７０４は、ブロードキャストモジュールがブロードキャストした所定タイプの信号とは同タイプの信号を伝送するための所定タイプの接続を、第１電子機器との間で構築するように構成されている。
【０１３２】
起動モジュール７０６は、第１電子機器から送信された通知を、第１構築モジュール７０４が構築した所定タイプの接続に基づいて受信した後に、ワイヤレス・ファイデリティ・ピアツーピア（ＷｉＦｉ−Ｐ２Ｐ）接続サービスを起動させるように構成されている。
【０１３３】
第２構築モジュール７０８は、ＷｉＦｉ−Ｐ２Ｐ接続サービス起動済みの第１電子機器との間で、第１電子機器から第２電子機器へのスクリーン投影を実現するためのＷｉＦｉ−Ｐ２Ｐ接続を構築するように構成されている。
【０１３４】
上述したように、本発明の実施例において提供されるスクリーン投影装置は、所定タイプの信号を、第１電子機器に受信されるようにブロードキャストし、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。第２電子機器は、所定タイプの信号をブロードキャストして送信することができるため、特定のアプリケーションをインストールしておく必要がなく、手間のかかるユーザ操作も必要がない。したがって、従来の関連技術において、第１電子機器および第２機器に特定のアプリケーションをインストールしておく必要があり、且つ、該アプリケーションを同時に起動させてから、ユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１３５】
図８は、例示的な更なる別の実施例に係るスクリーン投影装置を示すブロック図である。図８に示すように、該スクリーン投影装置は、図１に示す実施環境における第２電子機器１４０に適用されるものである。なお、該スクリーン投影装置は、ハードウェア、ソフトウェア、または両者の組み合わせにより第１電子機器の一部として実現されうる。また、該スクリーン投影装置には、ブロードキャストモジュール８０２、第１構築モジュール８０４、起動モジュール８０６および第２構築モジュール８０８が含まれるが、これに限定されない。
【０１３６】
ブロードキャストモジュール８０２は、所定タイプの信号をブロードキャストして送信するように構成されている。
【０１３７】
第１構築モジュール８０４は、ブロードキャストモジュール８０２がブロードキャストした所定タイプの信号とは同タイプの信号を伝送するための所定タイプの接続を、第１電子機器との間で構築するように構成されている。
【０１３８】
起動モジュール８０６は、第１電子機器から送信された通知を、第１構築モジュール８０４が構築した所定タイプの接続に基づいて受信した後に、ワイヤレス・ファイデリティ・ピアツーピア（ＷｉＦｉ−Ｐ２Ｐ）接続サービスを起動させるように構成されている。
【０１３９】
第２構築モジュール８０８は、ＷｉＦｉ−Ｐ２Ｐ接続サービス起動済みの第１電子機器との間で、第１電子機器から第２電子機器へのスクリーン投影を実現するためのＷｉＦｉ−Ｐ２Ｐ接続を構築するように構成されている。
【０１４０】
実現可能な一形態として、該スクリーン投影装置は、送信モジュール８１０、受信モジュール８１２および表示モジュール８１４をさらに含んでもよい。
【０１４１】
送信モジュール８１０は、ＷｉＦｉ−Ｐ２Ｐ接続に基づき、第１電子機器のスクリーン情報のリアルタイム・ストリーミング・プロトコール（ｒｔｓｐ）ストリームを取得するための取得要求を、第１電子機器に送信するように構成されている。
【０１４２】
受信モジュール８１２は、ＷｉＦｉ−Ｐ２Ｐ接続に基づき、第１電子機器から送信された、第１電子機器が自機器のスクリーン情報を圧縮したｒｔｓｐストリームを受信するように構成されている。
【０１４３】
表示モジュール８１４は、ｒｔｓｐストリームに応じたスクリーン情報を第２電子機器のスクリーン上に表示するように構成されている。
【０１４４】
上述したように、本発明の実施例において提供されるスクリーン投影装置は、所定タイプの信号を、第１電子機器に受信されるようにブロードキャストし、第２電子機器との間で所定タイプの接続を自動的に構築しておいた後に、該所定タイプの接続の基で、第２電子機器のＷｉＦｉ−Ｐ２Ｐ接続サービスを起動させると共にＷｉＦｉ−Ｐ２Ｐ接続を構築し、スクリーン投影を行う。第２電子機器は、所定タイプの信号をブロードキャストして送信することができるため、特定のアプリケーションをインストールしておく必要がなく、手間のかかるユーザ操作も必要がない。したがって、従来の関連技術において、第１電子機器および第２機器に特定のアプリケーションをインストールしておく必要があり、且つ、該アプリケーションを同時に起動させてから、ユーザ操作に基づくＷｉＦｉ−Ｐ２Ｐ接続を構築しなければならず、スクリーン投影時の操作の手間や接続効率の低下を招来する、という問題を解決できる。これにより、ＷｉＦｉ−Ｐ２Ｐ接続を自動的に構築することができ、スクリーン投影時の接続効率を向上させ、ユーザ操作を減らす効果を奏する。
【０１４５】
なお、上述した実施例における装置の各モジュールの具体的な動作形式については、対応の方法の実施例において既に詳細に説明されたため、ここでそれらの詳細を省略する。
【０１４６】
本発明の例示的な一実施例において提供されるスクリーン投影システムは、図５または図６で説明したスクリーン投影装置を含む第１電子機器と、図７または図８で説明したスクリーン投影装置を含む第２電子機器と、含むスクリーン投影システムである。具体的には、図５〜図８での説明を参照すればよく、ここではそれらの詳細を省略する。
【０１４７】
本発明の例示的な一実施例は、第１電子機器に適用され、本発明で提供されるスクリーン投影方法を実現可能なスクリーン投影装置であって、プロセッサと、プロセッサが実行可能なコマンドを記憶するメモリとを含み、
該プロセッサは、
所定タイプの信号を受信すると共に、前記所定タイプの信号を送信した第２電子機器との間で、前記所定タイプの信号とは同タイプの信号を伝送するための所定タイプの接続を構築し、
前記所定タイプの接続に基づき、ワイヤレス・ファイデリティ・ピアツーピア（ＷｉＦｉ−Ｐ２Ｐ）接続サービスを起動させるように前記第２電子機器に通知し、
前記第１電子機器が前記ＷｉＦｉ−Ｐ２Ｐ接続サービスを起動させた後に、前記ＷｉＦｉ−Ｐ２Ｐ接続サービス起動済みの前記第２電子機器との間でＷｉＦｉ−Ｐ２Ｐ接続を構築し、前記第２電子機器に対してスクリーン投影を行うように構成されている、スクリーン投影装置を提供する。
【０１４８】
また、本発明の例示的な別の実施例は、第２電子機器に適用され、本発明で提供されるスクリーン投影方法を実現可能なスクリーン投影装置であって、プロセッサと、プロセッサが実行可能なコマンドを記憶するメモリとを含み、
該プロセッサは、
所定タイプの信号をブロードキャストして送信し、
前記所定タイプの信号とは同タイプの信号を伝送するための所定タイプの接続を、第１電子機器との間で構築し、
前記第１電子機器から送信された通知を前記所定タイプの接続に基づいて受信した後に、ワイヤレス・ファイデリティ・ピアツーピア（ＷｉＦｉ−Ｐ２Ｐ）接続サービスを起動させ、
前記ＷｉＦｉ−Ｐ２Ｐ接続サービス起動済みの前記第１電子機器との間で、前記第１電子機器から前記第２電子機器へのスクリーン投影を実現するためのＷｉＦｉ−Ｐ２Ｐ接続を構築するように構成されている、スクリーン投影装置を提供する。
【０１４９】
図９は、例示的な更なる別の実施例に係るスクリーン投影装置を示すブロック図である。装置９００は、表示パネルを備えた携帯電話、コンピュータ、デジタルブロードキャスト端末、メッセージ送受信機器、ゲーム操作プラットフォーム、タブレット機器、医療機器、健康機器、ＰＤＡ（Ｐｅｒｓｏｎａｌ  Ｄｉｇｉｔａｌ  Ａｓｓｉｓｔａｎｔ）などである。
【０１５０】
図９を参照する。装置９００は、プロセッサアセンブリ９０２、メモリ９０４、電源アセンブリ９０６、マルチメディアアセンブリ９０８、オーディオアセンブリ９１０、入力／出力（Ｉ／Ｏ）インターフェース９１２、センサアセンブリ９１４、および通信アセンブリ９１６のうちの１つまたは複数を含んでもよい。
【０１５１】
プロセッサアセンブリ９０２は、通常では装置９００の全体的な操作、例えば表示、電話呼出、データ通信、カメラ動作や記憶動作に関する操作を制御する。プロセッサアセンブリ９０２は、上述した方法の全部または一部のステップを完了させるコマンドを実行する１つまたは複数のプロセッサ９１８を含んでもよい。また、プロセッサアセンブリ９０２は、プロセッサアセンブリ９０２と別のアセンブリとの間のインタラクションを処理するのための１つまたは複数のモジュールを含んでもよい。例えば、プロセッサアセンブリ９０２は、マルチメディアアセンブリ９０８とプロセッサアセンブリ９０２との間のインタラクションを処理するためのマルチメディアモジュールを含んでもよい。
【０１５２】
メモリ９０４は、装置９００における操作をサポートする各種のデータを記憶するように構成されている。これらのデータは、例えば、装置９００において操作される何らかのアプリケーションまたは方法のコマンドや、連絡先データ、電話帳データ、メッセージ、画像、映像などを含む。メモリ９０４は、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク若しくは光ディスクのような、いかなるタイプの揮発性または非揮発性の記憶デバイス、またはこれらの組み合わせによって実現され得る。
【０１５３】
電源アセンブリ９０６は、装置９００の各アセンブリに電力を供給する。電源アセンブリ９０６は、電源管理システムと、１つまたは複数の電源と、装置９００のために電力を生成、管理及び分配を行う関連のアセンブリと、を含んでもよい。
【０１５４】
マルチメディアアセンブリ９０８は、装置９００とユーザとの間で出力インターフェースを提供するスクリーンを含む。一部の実施例において、スクリーンは、液晶モニター（ＬＣＤ）やタッチパネル（ＴＰ）を含んでもよい。スクリーンは、タッチパネルを含むことにより、ユーザからの入力信号を受付けるタッチスクリーンとして実現される。タッチパネルは、タッチ、スライド、及びタッチパネル上のジェスチャを検出可能な１つまたは複数のタッチセンサを含む。タッチセンサは、タッチ或はスライド動作の境界だけではなく、タッチ或はスライド操作に関する継続時間及び圧力も検出できる。一部の実施例において、マルチメディアアセンブリ９０８は、１つのフロントカメラ及び／又はリアーカメラを含む。装置９００が例えば撮影モード或は映像モード等の操作モードである場合には、フロントカメラ及び／又はリアーカメラは、外部からのマルチメディアデータを受信することができる。フロントカメラおよびリアーカメラのそれぞれは、１つの固定型の光レンズ系、或は可変な焦点距離および光学ズーム機能を有するものであってもよい。
【０１５５】
オーディオアセンブリ９１０は、オーディオ信号を入力／出力するように構成されている。例えば、オーディオアセンブリ９１０は、装置９００が呼出モード、記録モード、及び音声認識モード等のような操作モードであるときに外部のオーディオ信号を受信するように構成されたマイク（ＭＩＣ）を含む。受信されたオーディオ信号は、さらにメモリ９０４に記憶されるか、通信アセンブリ９１６を介して送信されてもよい。一部の実施例において、オーディオアセンブリ９１０は、オーディオ信号を出力するためのスピーカーをさらに含む。
【０１５６】
Ｉ／Ｏインターフェース９１２は、プロセッサアセンブリ９０２と周辺インターフェースモジュールとの間のインターフェースを提供するものである。上述の周辺インターフェースモジュールは、キーボード、クリックホイール、ボタン等であってもよい。これらのボタンは、ホームボタン、音量ボタン、起動ボタン、ロッキングボタンを含んでもよいが、これらに限定されない。
【０１５７】
センサアセンブリ９１４は、各方面の状態評価を装置９００に提供するための１つまたは複数のセンサを含む。例えば、センサアセンブリ９１４は、装置９００のＯＮ／ＯＦＦ状態や、装置９００における例えばディスプレイやテンキーパッドのようなアセンブリの相対的な位置決めを検出できる。また、センサアセンブリ９１４は、装置９００や装置９００におけるアセンブリの位置変化、ユーザと装置９００との接触の有無、装置９００の方位若しくは加速／減速、および装置９００の温度変化を検出できる。センサアセンブリ９１４は、いかなる物理的接触も無い場合に周辺物体の存在を検出するための接近センサを含んでもよい。さらに、センサアセンブリ９１４は、画像生成アプリケーションに用いられるＣＭＯＳ又はＣＣＤ画像センサのような光センサを含んでもよい。一部の実施例において、該センサアセンブリ９１４は、加速度センサ、ジャイロスコープセンサ、磁気センサ、圧力センサ、及び温度センサをさらに含んでもよい。
【０１５８】
通信アセンブリ９１６は、装置９００と他の機器との間で有線、又は無線方式の通信を提供するように構成される。装置９００は、例えばＷｉＦｉ、２Ｇ、３Ｇ或はそれらの組み合わせのような、通信規格に基づく無線ネットワークに接続されてもよい。例示的な一実施例において、通信アセンブリ９１６は、ブロードキャストチャネルを介して、外部のブロードキャスト管理システムからのブロードキャスト信号、又はブロードキャストに関連する情報を受信する。例示的な一実施例において、通信アセンブリ９１６は、近距離通信を促進するための近距離無線通信（ＮＦＣ）モジュールをさらに含む。ＮＦＣモジュールは、例えばＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ：ブルートゥース）技術や、他の技術に基づいて実現される。
【０１５９】
例示的な一実施例において、装置９００は、１つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子デバイスによって実現されるものであり、上記の方法を実行する。
【０１６０】
また、例示的な一実施例において、さらに、コマンドを含んだ一時的でないコンピュータ読み取り可能な記憶媒体として、例えば、装置９００のプロセッサ９１８により実行されることで上述の方法が実現されるようなコマンドを含んだメモリ９０４をさらに提供する。一時的でないコンピュータ読み取り可能な記憶媒体は、例えば、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光学的データ記憶機器等である。
【０１６１】
当業者は、本明細書に開示された発明の詳細を参照し実施することにより、本発明の他の実施態様を容易に見い出せる。本願は、本発明のいかなる変形、用途、又は適応的な変化を包含することが意図されている。当該いかなる変形、用途、又は適応的な変化は、本発明の一般原理に従うものであり、且つ本発明において開示されていない本技術分野における公知常識や慣用の技術的手段を含む。明細書及び実施例は、あくまでも例示的なものであると理解されるべきである。本発明の真正の保護範囲および精神は、特許請求の範囲により特定される。
【０１６２】
本発明は、上記において開示された構成、又は図面に示された構成に限定されるものではなく、本発明の範囲を逸脱しないものであれば、様々な改修又は変更が行えることが理解されるべきである。本発明の範囲は、特許請求の範囲のみにより特定される。
【国際調査報告】
2017511553.tif 000020
2017511553.tif 000021
2017511553.tif 000022
2017511553.tif 000023